(57)【特許請求の範囲】
【請求項１】
アンテナによって受信されたページ信号または照会信号を増幅するように構成された増幅器と、
前記増幅されたページ信号または増幅された照会信号を受信し、
前記増幅されたページ信号または前記増幅された照会信号のエネルギーとしきい値の比較に基づいて、検出信号を出力する
ように構成された、エネルギー検出器であって、前記エネルギーが前記しきい値を満たすとき、前記検出信号が出力される、エネルギー検出器と、
を備えるエネルギー検出システム
を備え、前記エネルギー検出器は、エネルギー検出の継続時間を測定するように構成されたエネルギープロファイルプロセッサを備え、
エネルギー検出の前記継続時間が第１の継続時間以上であり、第２の継続時間以下であるとき、前記エネルギー検出器は、前記検出信号を出力するように構成される、通信のための電子デバイス。
【請求項２】
前記エネルギー検出器は、前記エネルギーと前記しきい値の前記比較の前に、前記増幅されたページ信号から周波数シフトキーイング（ＦＳＫ）変調を除去するように構成された包絡線検出器を備える、請求項１に記載の電子デバイス。
【請求項３】
前記エネルギー検出器は、前記エネルギーと前記しきい値の前記比較の前に、前記ＦＳＫ変調が除去された前記増幅されたページ信号をフィルタ処理するように構成されたフィルタをさらに備える、
請求項２に記載の電子デバイス。
【請求項４】
前記エネルギー検出器は、エネルギー検出の前記継続時間が近似的にページパケットの継続時間以上であるとき、前記検出信号を出力するように構成される、
請求項１に記載の電子デバイス。
【請求項５】
前記第１の継続時間は、ページパケットの継続時間に基づき、
前記第２の継続時間は、干渉信号のパケットの継続時間に基づく、
請求項１に記載の電子デバイス。
【請求項６】
発振器信号を発生するように構成された周波数合成器と、
前記ページ信号を中間周波数（ＩＦ）にダウンコンバートするために、前記ページ信号を前記発振器信号と混合するように構成されたミキサであって、前記増幅器が、前記ページ信号を前記ＩＦにおいて増幅するように構成された、ミキサと、
をさらに備える、請求項１に記載の電子デバイス。
【請求項７】
チャネルセレクタをさらに備え、前記周波数合成器は、前記発振器信号を前記チャネルセレクタによって選択された特定のチャネルに調整するように構成される、請求項６に記載の電子デバイス。
【請求項８】
前記チャネルセレクタは、ページチャネルホッピングシーケンスに基づいて前記特定のチャネルを選択するように構成される、
請求項７に記載の電子デバイス。
【請求項９】
前記ページ信号または前記照会信号を復調することなしに、前記エネルギーが検出され、前記検出信号が出力され、するように構成され、前記エネルギーは、前記エネルギーが前記しきい値以上であるとき、前記しきい値を満たす、
請求項１に記載の電子デバイス。
【請求項１０】
受信機は、前記エネルギー検出システムと関連付けられたエネルギースキャン中にイネーブルにされない、請求項１に記載の電子デバイス。
【請求項１１】
ページ信号または照会信号を受信するための手段と、
前記ページ信号または前記照会信号を増幅するための手段と、
前記増幅されたページ信号または前記増幅された照会信号のエネルギーとしきい値の比較に基づいて、検出信号を出力するための手段であって、前記エネルギーが前記しきい値を満たすとき、前記検出信号が出力される、出力するための手段と、
エネルギー検出の継続時間を測定するための手段と、
前記エネルギー検出の前記継続時間が第１の継続時間以上であり、第２の継続時間以下のとき、前記検出信号を出力するための手段と、
を備える、通信のための電子デバイス。
【請求項１２】
前記エネルギーと前記しきい値の前記比較の前に、前記増幅されたページ信号から周波数シフトキーイング（ＦＳＫ）変調を除去するための手段、
をさらに備える、請求項１１に記載の電子デバイス。
【請求項１３】
前記エネルギー検出の前記継続時間が近似的にページパケットの継続時間以上であるとき、前記検出信号を出力するための手段と、
をさらに備える請求項１１に記載の電子デバイス。
【請求項１４】
前記第１の継続時間は、ページパケットの継続時間に基づき、
前記第２の継続時間は、干渉信号のパケットの継続時間に基づく、
請求項１１に記載の電子デバイス。
【請求項１５】
前記ページ信号を中間周波数（ＩＦ）にダウンコンバートするために、前記ページ信号を発振器信号と混合するための手段であって、前記ページ信号は、前記ＩＦにおいて増幅される、混合するための手段をさらに備える、
請求項１１に記載の電子デバイス。
【請求項１６】
各チャネルが異なる周波数に対応する、複数のチャネルのうちの特定のチャネルに前記発振器信号を調整するための手段と、
ページチャネルホッピングシーケンスに基づいて前記特定のチャネルを選択するための手段と、をさらに備える、
請求項１５に記載の電子デバイス。
【請求項１７】
前記エネルギーが前記しきい値以上であるとき、前記エネルギーが前記しきい値を満たす、請求項１１に記載の電子デバイス。
【請求項１８】
受信機は、前記検出信号を出力するための手段と関連付けられたエネルギースキャン中にイネーブルにされない、請求項１１に記載の電子デバイス。
【発明の詳細な説明】
【背景技術】
【０００１】
ブルートゥースワイヤレス技術は、電子デバイスの間の短距離ワイヤレス通信を可能にする。たとえば、ブルートゥース技術は、セルラ電話とワイヤレスヘッドセットとの間、ラップトップとワイヤレスマウスとの間、および他のデバイス間のワイヤレス通信を可能にするために使用できる。ブルートゥースを使用することができる電子デバイスは、特に、セルラ電話、携帯情報端末（ＰＤＡ）、ラップトップ、ワイヤレスヘッドセット、ワイヤレスマウス、およびワイヤレスキーボードを含む。
【０００２】
ブルートゥース対応デバイスは、アクティブモード、ホールドモード、スニッフモード、およびパークモードを含むいくつかの異なるモードで互いに接続できる。ブルートゥース対応デバイスはまた、ページスキャンモードおよび照会スキャンモードを含む。ページスキャンモードでは、ページスキャニングデバイスが、デバイスとの接続を確立しようと試みている他のデバイスからのページパケットを周期的にスキャンする。ページパケットは、ページングデバイスが接続しようと試みているデバイスのデバイスアクセスコード（ＤＡＣ）を含む。ページスキャニングデバイスがページパケットを受信したとき、ページスキャニングデバイスは、メッセージがそのデバイスのＤＡＣを含むかどうか（すなわち、ページメッセージがそのデバイスに宛てられているかどうか）を判断するために、ページパケットを復調する。照会スキャンモードでは、照会スキャニングデバイスが、デバイスを発見しようと試みている他のデバイスからの照会パケットを周期的にスキャンする。照会パケットは照会アクセスコード（ＩＡＣ）を含む。照会スキャニングデバイスが照会パケットを受信したとき、照会スキャニングデバイスは、メッセージがＩＡＣを含むかどうかを判断するために照会パケットを復調する。受信したパケットがＩＡＣを含む場合、照会スキャニングデバイスは照会デバイスに応答を送る。
【０００３】
ブルートゥース対応デバイスは、ほとんどの時間、ページスキャンモードおよび／または照会スキャンで動作することができる。したがって、デバイスのバッテリー寿命を延長するために、ページスキャンモードおよび照会スキャンにおける電力を低減するためのシステムおよび方法が望まれる。
【発明の概要】
【０００４】
以下で、本技術の様々な構成のいくつかの態様の基本的な理解を与えるために、それらの構成の簡略化された概要を提示する。本概要は包括的な概観ではない。主要な／重要な要素を特定するものでも、本明細書で開示する構成の範囲を定めるものでもない。その唯一の目的は、後で提示するより詳細な説明の導入として、いくつかの概念を簡略化された形で提示することである。
【０００５】
本開示の一態様では、通信のための電子デバイスはプロセッサを備える。プロセッサは、ページ信号または照会信号のエネルギーの検出を識別するエネルギー検出信号を受信するように構成された電力スキャンモジュールを備える。さらに、電力スキャンモジュールは、エネルギー検出信号を受信すると、ページスキャンまたは照会スキャンを実行するための命令を与えるように構成される。
【０００６】
本開示の別の態様では、機械可読媒体は、プロセッサによって実行可能な命令を備える。命令は、ページ信号または照会スキャンのエネルギーの検出を識別するエネルギー検出信号を受信するためのコードと、エネルギー検出信号を受信すると、ページスキャンまたは照会スキャンを実行するための命令を与えるためのコードとを備える。
【０００７】
本開示のさらなる態様では、通信のための電子デバイスは、エネルギー検出システムを備える。エネルギー検出システムは、アンテナによって受信されたページ信号または照会信号を増幅するように構成された増幅器と、増幅されたページ信号または増幅された照会信号を受信し、増幅されたページ信号または増幅された照会信号のエネルギーがしきい値以上であるとき、検出信号を出力するように構成された、エネルギー検出器とを備える。
【０００８】
本開示のさらなる態様では、通信のための電子デバイスは、ページ信号または照会信号を受信するための手段と、受信されたページ信号または照会信号を増幅するための手段と、増幅されたページ信号または増幅された照会スキャンのエネルギーがしきい値以上であるとき、検出信号を出力するための手段とを備える。
【０００９】
本開示のまたさらなる態様では、通信のための電子デバイスは周波数合成器を備える。周波数合成器は、第１の基準信号を発生し、出力するように構成された第１の基準信号発生器と、第２の基準信号を発生し、出力するように構成された第２の基準信号発生器とを備える。周波数合成器は、第１の基準信号から第１の発振器信号を発生し、第２の基準信号から第２の発振器信号を発生するように構成された位相ロックループ（ＰＬＬ）と、制御信号に基づいて、第１の基準信号または第２の基準信号のいずれかをＰＬＬに入力するように構成されたスイッチとをさらに備える。
【００１０】
本開示のまたさらなる態様では、通信のための電子デバイスは、第１の基準信号を受信するための手段と、第２の基準信号を受信するための手段とを備える。電子デバイスは、制御信号に基づいて、第１の基準信号または第２の基準信号のいずれかを位相ロックループ（ＰＬＬ）に入力するための手段と、第１の基準信号がＰＬＬに入力されたときには第１の発振器信号を発生し、または第２の基準信号がＰＬＬに入力されたときには第２の発振器信号を発生するための手段とをさらに備える。
【００１１】
本技術の様々な構成を例として図示および説明する以下の詳細な説明から、本技術の他の構成が容易に明らかになることが当業者には理解されよう。了解されるように、すべて本技術の範囲から逸脱しなければ、本技術は他の構成および異なる構成が可能であり、そのいくつかの詳細は様々な他の点で変更が可能である。したがって、図面および詳細な説明は、本質的に例示的なものと見なされるべきであり、限定的なものと見なされるべきではない。
【図面の簡単な説明】
【００１２】
【図１】ワイヤレス通信システム中のワイヤレス電子デバイスの一例を示す概念ブロック図。
【図２】ブルートゥースパケットの一例を示す図。
【図３】ページスキャンモードにおける電力消費量の一例を示す図。
【図４Ａ】ワイヤレス通信システム中のワイヤレス電子デバイスの別の例を示す概念ブロック図。
【図４Ｂ】ワイヤレス通信システム中のワイヤレス電子デバイスの別の例を示す概念ブロック図。
【図５】エネルギースキャンモードにおける電力消費量を示す図。
【図６Ａ】低電力プロセスの一例を示すフローチャート。
【図６Ｂ】図６Ａのプロセスのためのタイミングの一例を示すタイミング図。
【図７Ａ】低電力プロセスの別の例を示すフローチャート。
【図７Ｂ】図７Ａのプロセスのためのタイミングの一例を示すタイミング図。
【図８】低電力プロセスのさらなる例のためのタイミングの一例を示すタイミング図。
【図９Ａ】低電力プロセスのさらに別の例を示すフローチャート。
【図９Ｂ】図９Ａのプロセスのためのタイミングの一例を示すタイミング図。
【図１０】受信機の一例を示す概念ブロック図。
【図１１】エネルギー検出システムの一例を示す概念ブロック図。
【図１２Ａ】エネルギー検出器の一例を示す概念ブロック図。
【図１２Ｂ】エネルギー検出システムの別の例を示す概念ブロック図。
【図１３】エネルギー検出システムのさらなる例を示す概念ブロック図。
【図１４】エネルギー検出システムのさらに別の例を示す概念ブロック図。
【図１５】周波数合成器の一例を示す概念ブロック図。
【図１６】周波数合成器の別の例を示す概念ブロック図。
【図１７】デュアルモード周波数合成器の一例を示す概念ブロック図。
【図１８】ループフィルタの一例を示す概念ブロック図。
【図１９】係数（modulus）コントローラの例を示す概念ブロック図。
【図２０】電子デバイスの機能の一例を示す概念ブロック図。
【図２１】電子デバイスの機能の別の例を示す概念ブロック図。
【詳細な説明】
【００１３】
以下に記載する詳細な説明は、本技術の様々な構成を説明することを意図したものであり、本技術を実施できる唯一の構成を表すものことを意図したものではない。添付の図面は、本明細書に組み込まれ、詳細な説明の一部を構成する。詳細な説明は、本技術の完全な理解を与えるための具体的な詳細を含む。しかしながら、本技術は、これらの具体的な詳細なしに実施できることは当業者には明らかであろう。いくつかの例では、本技術の概念を不明瞭にしないように、既知の構造およびコンポーネントをブロック図の形式で示す。
【００１４】
図１は、本開示の一態様による、ワイヤレスリンク１７を介して少なくとも１つの他のブルートゥース対応デバイス１５に接続可能であるブルートゥース対応デバイス１０を示す概念ブロック図である。限定ではなく説明のために、各デバイス１０および１５は、セルラ電話、携帯情報端末（ＰＤＡ）、ラップトップコンピュータ、ワイヤレスヘッドセット、またはワイヤレスマウスとすることができる。ブルートゥース対応デバイス１０は、アンテナ２０と、送信機２５と、受信機３０と、他のブルートゥース対応デバイス１５への送信のためにデータを処理するように、または他のブルートゥース対応デバイス１５から受信したデータを処理するように構成できるモデムプロセッサ３５とを備える。他のブルートゥースデバイス１５にデータ５５を送信するために、モデムプロセッサ３５は、データ５５を処理して１つまたは複数のブルートゥースパケットにし、１つまたは複数のブルートゥースパケットを変調し、得られた信号を送信機２５に送ることができる。データ５５は、ブルートゥースリンクを介してデータを送信することを望んでいる、デバイス１０中の他のサブシステム（図示せず）、たとえば、セルラーサブシステムから来得る。モデムプロセッサ３５は、パケットに対してガウス周波数シフトキーイング（ＧＦＳＫ）変調および／または位相偏移キーイング変調を実行することができる。送信機２５は、次いで、アンテナ２０からの送信のために信号を処理（限定ではなく説明のために、増幅または周波数アップコンバート）することができる。他のブルートゥースデバイス１５からデータを受信するために、受信機３０は、アンテナ２０によって受信された信号を処理（限定ではなく説明のために、増幅、周波数ダウンコンバート、またはフィルタ処理）し、得られた信号をモデムプロセッサ３５に送ることができる。モデムプロセッサ３５は、次いで、信号を復調して、受信信号中のブルートゥースパケットからデータを復元し、復元されたデータをデバイス１０の別のサブシステムに送ることができる。他のブルートゥース対応デバイス１５は、ブルートゥース接続を可能にするための同様のコンポーネント（図示せず）を含むことができる。
【００１５】
ブルートゥース対応デバイス１０および１５は、たとえば、２．４ＧＨｚ産業科学医療用（ＩＳＭ：Industrial, Scientific and Medical）周波数帯域付近で、ブルートゥースパケットを送信および受信することができる。各デバイス１０および１５は、干渉およびフェージングを低減するために周波数ホッピング方式を使用して、ブルートゥースパケットを送信および受信することができる。一例では、デバイス１０および１５は、２．４０２から２．４８０ＧＨｚの周波数レンジ内に１ＭＨｚ離間した７９個以下の異なるホップ周波数を備える方式を使用することができる。各ホップ周波数はチャネルと呼ばれることがあり、上記の例では７９個の異なるチャネルがある。これらは例にすぎず、本技術はこれらの例に限定されない。
【００１６】
図２に、本開示の一態様によるブルートゥースパケット２１０の一例を示す。ブルートゥースパケット２１０は、アクセスコード２１５と、ヘッダ２２０と、オプションのペイロード２２５とを含む。限定ではなく説明のために、アクセスコード２１５は６８ビットまた７２ビットとすることができ、ヘッダ２２０は、５４ビットとすることができ、ペイロード２２５は、０から２７４５ビットとすることができる。また、図２に、アクセスコード２１５のより詳細な図を示す。アクセスコード２１５は、プリアンブル２３０と、シンクワード２３５と、トレーラ２４０とを含む。限定ではなく説明のために、プリアンブル２３０は、４ビットとすることができ、シンクワード２３５は、６４ビットとすることができ、トレーラ２４０は、存在するときには、４ビットとすることができる。図２のブルートゥースパケットのさらなる詳細、および他のタイプのブルートゥースパケットの例は、たとえば、ブルートゥースシステムの仕様、第２巻、パートＢ、第６節（Specification of the Bluetooth（登録商標） System, Volume 2, Part B, Section 6）に記載されている。
【００１７】
ページスキャンモードでは、ページスキャニングデバイスは、ページスキャニングデバイスとの接続を確立しようと試みている他のデバイスからのページパケットを周期的にスキャンする。ページパケットは、たとえば、ページングされているデバイスを識別するアクセスコード２１５のみを備えるタイプのブルートゥースパケットとすることができる。図２の例を参照すると、ページパケットは、たとえば、アクセスコード２１５の４ビットプリアンブル２３０と６４ビットシンクワード２３５とのみを備えることができ、したがって６８ビットしか備えることができない。ページパケット中ではアクセスコードの後にヘッダがこないので、この例のページパケットはトレーラ２４０を含まない。これは、図２のトレーラの周囲に破線によって示される。シンボルレートが１メガシンボル毎秒（ｍｓｐｓ）の例では、この例のページパケットは、６８μｓ長である。ページパケットのシンクワード２３５は、ページングされているデバイスのデバイスアクセスコード（ＤＡＣ）を含むことができる。
【００１８】
照会スキャンモードでは、照会スキャニングデバイスは、その近傍の他のブルートゥース対応デバイスの存在を発見しようと試みている別のデバイスからの照会パケットを周期的にスキャンする。照会パケットは、たとえば、アクセスコード２１５を備えるタイプのブルートゥースパケットとすることができ、アクセスコード２１５は、照会アクセスコード（ＩＡＣ）を含む。照会パケットは、ページパケットと同じ長さ（たとえば、６８μｓ）を有することができる。照会パケットは、たとえば、ＩＡＣと照会デバイスのローカルクロックとに基づく照会チャネルホッピングシーケンスを使用して送信できる。
【００１９】
次に、図１を参照しながら、ページスキャンモードにおける動作の例を提示する。以下の説明では、デバイス１０は、ページスキャニングデバイスとして指定され、デバイス１５は、ページスキャニングデバイス１０との接続を確立しようと試みているページングデバイスとして指定されるが、それらの役割を逆転することができることを理解されたい。
【００２０】
一態様では、ページスキャニングデバイス１０は、ページスキャンモジュール４２と、ウェイクアップモジュール４４と、チャネルセレクタ４６と、を備える処理システム４０を含むことができる。処理システム４０は、ソフトウェア、ハードウェア、または両方の組合せを使用して実装できる。ソフトウェアは、ソフトウェア、ファームウェア、ミドルウェア、マイクロコード、ハードウェア記述言語などの名称にかかわらず、命令、データ、またはそれらの組合せを意味すると広く解釈されたい。例として、処理システム４０は、１つまたは複数のプロセッサを用いて実装できる。処理システムはプロセッサと呼ばれることがある。プロセッサは、汎用マイクロプロセッサ、マイクロコントローラ、デジタル信号プロセッサ（ＤＳＰ）、特定用途向け集積回路（ＡＳＩＣ）、フィールドプログラマブルゲートアレイ（ＦＰＧＡ）、プログラマブル論理デバイス（ＰＬＤ）、コントローラ、ステートマシン、ゲートロジック、個別ハードウェアコンポーネント、あるいは情報の計算または他の操作を実行することができる他の適切なエンティティとすることができる。プロセッサは、モデムプロセッサ３５と処理システム４０の両方を含むことができる。プロセッサは１つまたは複数のプロセッサを含むことができる。
【００２１】
ページスキャニングデバイス１０はまた、処理システム４０に動作可能に結合され、データ処理に関係する情報を記憶することができる、機械可読媒体４５を含むことができる。機械可読媒体は、処理システム４０および／またはモデムプロセッサ３５の外部および／または内部に配置できる。機械可読媒体は１つまたは複数の媒体とすることができる。
【００２２】
機械可読媒体は、ＡＳＩＣの場合のように、プロセッサに組み込まれたストレージ、および／または機械可読媒体４５などのプロセッサの外部のストレージを含むことができる。限定ではなく例として、機械可読媒体は、揮発性メモリ、不揮発性メモリ、ランダムアクセスメモリ（ＲＡＭ）、フラッシュメモリ、読取り専用メモリ（ＲＯＭ）、プログラマブル読取り専用メモリ（ＰＲＯＭ）、消去可能ＰＲＯＭ（ＥＰＲＯＭ）、レジスタ、ハードディスク、リムーバブルディスク、ＣＤ−ＲＯＭ、ＤＶＤ、または任意の他の好適な記憶デバイスのうちの１つまたは複数を含むことができる。さらに、機械可読媒体は、伝送線路、またはデータ信号を符号化する搬送波を含むことができる。機械可読媒体は、コンピュータプログラムまたは命令とともに符号化または記憶されたコンピュータ可読媒体とすることができる。コンピュータプログラムまたは命令は、送信機デバイスまたは受信機デバイスによって、あるいは送信機デバイスまたは受信機デバイスの処理システムによって実行可能であり得る。
【００２３】
本開示の一態様では、ページスキャンモジュール４２は、以下でさらに説明するように、ページスキャニングデバイス１０のページスキャン動作を管理するように構成できる。ウェイクアップモジュール４４は、ページスキャンモードでページスキャンを実行するために、受信機３０およびモデムプロセッサ３５を周期的に起動するように構成できる。ウェイクアップモジュール４４は、たとえば、ブルートゥースクロックおよび／またはソフトウェアタイマーを使用して時間を追跡することができる。ウェイクアップモジュール４４は、ページスキャンモジュール４２とは別個に示されているが、ページスキャンモジュール４２の一部とすることができる。チャネルセレクタ４６は、たとえば、ページチャネルホッピングシーケンスに基づいて、受信機３０がページパケットをスキャンするチャネルを選択するように構成できる。
【００２４】
本開示の一態様では、ウェイクアップモジュール４４は、ページスキャンウィンドウ、たとえば、１１．２５ｍｓの間にページスキャンを実行するために、周期的に、たとえば、１．２８秒ごとに１回、受信機３０およびモデムプロセッサ３５をスリープ状態から起動する。受信機３０がページスキャン中にページパケットを受信したとき、モデムプロセッサ３５は、ページパケットを復調し、ページパケット中のデータを復元する。ページスキャンモジュール４２は、次いで、ページパケットがデバイスのＤＡＣを含むかどうか（すなわち、ページパケットがデバイス１０に宛てられているかどうか）を判断するために、復元されたデータを検査することができる。ページパケットがデバイスのＤＡＣを含む場合、ページスキャンモジュール４２は、ページングデバイス１５との接続を確立するためのプロシージャを開始することができる。ページスキャニングデバイスをページングした後に接続を確立するための詳細の例は、たとえば、ブルートゥースシステムの仕様、第２巻、パートＢ、第８．３節（Specification for the Bluetooth System, Volume 2, part B, Section 8.3）に記載されている。
【００２５】
ページングデバイス１５は、ページパケットが様々なチャネルのシーケンス上で送信されるページホッピング方式を使用して、ページパケットを送信することができる。たとえば、ページングデバイス１５は、ページングのために３２個の異なるチャネルを使用することができる。この例では、ページングデバイス１５は、２つの異なるページ列を使用してページパケットを送信することができ、各ページ列は、３２個のチャネルのうちの１６個のチャネルのシーケンスを備える。この例では、各ページ列は１０ｍｓ長とすることができ、その時間の間、ページングデバイス１５は、ページ列中の１６個のチャネルの各々上でページパケットを送信する。ページングデバイス１５は、同じページ列を、たとえば、１０ｍｓごとに反復することができる。この例では、ページングデバイス１５は、たとえば、１．２８秒ごとに２つのページ列の間を行き来することができる。ページングデバイス１５は、ページングしようと試みているページングデバイスのブルートゥースデバイスアドレス（ＢＤ＿ＡＤＤＲ）と、ページスキャニングデバイスのブルートゥースクロックとに基づいて、１６個のチャネルのページ列をアルゴリズム的に発生することができる。
【００２６】
上記で説明したように、ウェイクアップモジュール４４は、周期的に、たとえば、１１．２５ｍｓのページスキャンウィンドウの間に１．２８秒ごとに１回、ページスキャンを実行するために受信機３０およびモデムプロセッサ３５をスリープ状態から起動することができる。一態様では、チャネルセレクタ４６は、ページチャネルホッピングシーケンスに基づいて、各ページスキャンウェイクアップにおけるチャネルを選択することができる。チャネルセレクタ４６は、たとえば、ブルートゥースデバイスアドレス（ＢＤ＿ＡＤＤＲ）とデバイス１０のブルートゥースクロックの推定値とに基づいて、ページチャネルホッピングシーケンスを発生することができる。一態様では、ページチャネルホッピングシーケンスは３２個の異なるチャネルを備える。チャネルセレクタ４６は、１．２８秒ごとに１回のレート（たとえば、ページスキャンウェイクアップ間の間隔）でチャネルをホッピングすることができる。この例では、１１．２５ｍｓのページスキャンウィンドウは、ページスキャンウィンドウがページ列の１６個のチャネルすべてをカバーすることを確実にする、１０ｍｓのページ列間隔に対応する。１０ｍｓのページ列間隔および１１．２５ｍｓのページスキャンウィンドウは例にすぎず、他のページ列間隔およびページスキャンウィンドウを使用してもよい。
【００２７】
一態様では、デバイス１０はまた、照会スキャンモードで照会パケットをスキャンすることができる。この態様では、デバイス１０は、デバイス１０の照会スキャンを管理するための照会スキャンモジュール４３を備える。ウェイクアップモジュール４４は、照会スキャンを実行するために、受信機３０とモデムプロセッサ３５とを周期的に起動するように構成できる。デバイス１０が別のデバイスから照会パケットを受信した場合、照会スキャンモジュール４３は、他のデバイスがデバイス１０との接続を確立することができるように、デバイス１０のアドレスおよびクロックとともに応答を送ることができる。
【００２８】
次に、図３を参照しながら、ページスキャンモードにおける電力消費量の一例について説明する。図３に、ページスキャンモードにおける受信機３０およびモデムプロセッサ３５の電流消費量のプロットを示す。この例では、ウェイクアップモジュール４４は、１１．２５ｍｓのページスキャンウィンドウの間にページスキャンを実行するために、１．２８秒ごとに受信機３０およびモデムプロセッサ３５をスリープ状態から周期的に起動する。図３に示すように、スリープ状態中、電流消費量は、たとえば、受信機３０およびモデムプロセッサ３５の漏れ電流３１５のために非常に低い。ページスキャンウィンドウ中、ページスキャンを実行するために受信機３０およびモデムプロセッサ３５が電源投入されるので、電流３１０が増加する。ページスキャンモードにおける平均電流消費量は、次のように近似できる。  
リーク電流＋（ＲＸ電流＊（ウィンドウ／間隔））          （１）
（leakage_current + ( RX_current * (window/interval))）
式中、リーク電流（leakage_current）は、受信機３０およびモデムプロセッサ３５のリーク電流であり、ＲＸ電流（RX_current）は、ページスキャン中の電流消費量であり、ウィンドウ（window）は、ページスキャンウィンドウの長さ（たとえば、１１．２５ｍｓ）であり、間隔（interval）は、ページスキャン間の間隔（たとえば、１．２８秒）である。ページスキャンモードにおける電力消費量は、ページスキャンモードにおける平均電流消費量に比例する。上記の例では、ページスキャニングデバイスは、約１％のデューティサイクル（１１．２５ｍｓ／１．２８秒）でページスキャニングを実行する。
【００２９】
式（１）に基づいて、ページスキャンモードにおける平均電流消費量、したがって電力消費量を低減するために、少なくとも３つの方法がある。これらは以下のことを含む。
【００３０】
１．ページスキャン間の間隔を増加させること
２．ページスキャンウィンドウの長さを減少させること
３．ページスキャン中の電流を減少させること
本開示の態様は、ページスキャンモードにおける電力消費量を低減するために、上記の方法のうちの１つまたは複数を使用することができる。ページスキャンモードにおける電力消費量についての上記の説明は、照会スキャンモードにも当てはまる。したがって、ページスキャンモードにおける電力を低減するためのシステムおよび方法は、照会スキャンモードにも適用できる。
【００３１】
図４Ａは、本開示の一態様による、電力消費量を低減するためのブルートゥース対応デバイス４１０の概念ブロック図である。この態様では、ブルートゥース対応デバイス４１０は、アンテナ４２０と、受信機４３０と、ページパケットを受信し、復調することによってページスキャンを実行するためのモデムプロセッサ４３５とを備える。ブルートゥース対応デバイス４１０はまた、送信機４２５を含むことができる。
【００３２】
ブルートゥース対応デバイス４１０はさらに、アンテナ４２０に結合され、アンテナ４２０によって受信されたページパケットのエネルギーを検出するように構成された、エネルギー検出システム４６０を備える。エネルギー検出システム４６０はまた、照会パケットのエネルギーを検出することができる。ブルートゥース対応デバイス４１０はまた、ページスキャンモジュール４４２と、低電力スキャンモジュール４４８と、ウェイクアップモジュール４４と、チャネルセレクタ４４６とを備える処理システム４４０を含む。ブルートゥース対応デバイス４１０はまた、照会スキャンモジュール４４３を含むことができる。処理システム４４０は、ソフトウェア、ハードウェア、または両方の組合せを使用して実装できる。ソフトウェアは、ソフトウェア、ファームウェア、ミドルウェア、マイクロコード、ハードウェア記述言語などの名称にかかわらず、命令、データ、またはそれらの組合せを意味すると広く解釈されたい。例として、処理システム４４０は、１つまたは複数のプロセッサを用いて実装できる。処理システムはプロセッサと呼ばれることがある。プロセッサは、汎用マイクロプロセッサ、マイクロコントローラ、デジタル信号プロセッサ（ＤＳＰ）、特定用途向け集積回路（ＡＳＩＣ）、フィールドプログラマブルゲートアレイ（ＦＰＧＡ）、プログラマブル論理デバイス（ＰＬＤ）、コントローラ、ステートマシン、ゲートロジック、個別ハードウェアコンポーネント、あるいは情報の計算または他の操作を実行することができる他の適切なエンティティとすることができる。プロセッサは、モデムプロセッサ４３５と処理システム４４０の両方を含むことができる。プロセッサは１つまたは複数のプロセッサを含むことができる。
【００３３】
ブルートゥース対応デバイス４１０はまた、処理システム４４０に動作可能に結合され、データ処理に関係する情報を記憶することができる、機械可読媒体４４５を含むことができる。機械可読媒体は、処理システム４４０および／またはモデムプロセッサ４３５の外部および／または内部に配置できる。機械可読媒体は１つまたは複数の媒体とすることができる。
【００３４】
機械可読媒体は、ＡＳＩＣの場合のように、プロセッサに組み込まれたストレージ、および／または機械可読媒体４４５などのプロセッサの外部のストレージを含むことができる。限定ではなく例として、機械可読媒体は、揮発性メモリ、不揮発性メモリ、ランダムアクセスメモリ（ＲＡＭ）、フラッシュメモリ、読取り専用メモリ（ＲＯＭ）、プログラマブル読取り専用メモリ（ＰＲＯＭ）、消去可能ＰＲＯＭ（ＥＰＲＯＭ）、レジスタ、ハードディスク、リムーバブルディスク、ＣＤ−ＲＯＭ、ＤＶＤ、または任意の他の好適な記憶デバイスのうちの１つまたは複数を含むことができる。さらに、機械可読媒体は、伝送線路、またはデータ信号を符号化する搬送波を含むことができる。機械可読媒体は、コンピュータプログラムまたは命令とともに符号化または記憶されたコンピュータ可読媒体とすることができる。コンピュータプログラムまたは命令は、送信機デバイスまたは受信機デバイスによって、あるいは送信機デバイスまたは受信機デバイスの処理システムによって実行可能であり得る。
【００３５】
本開示の一態様では、ブルートゥース対応デバイス４１０は、アンテナ４２０によって受信されたページパケットのエネルギーを検出するためにエネルギー検出システム４６０が使用される、エネルギースキャンを実行することができる。受信機４３０および／またはモデムプロセッサ４３５は、電力を節約するためにエネルギースキャンモード中に電源切断できる。ブルートゥース対応デバイス１０はまた、デバイス４１０がページングされているかどうかを判断するために、ページパケットを受信し、復調する（たとえば、ＧＦＳＫ復調する）ために受信機４３０およびモデムプロセッサ４３５が電源投入される、ページスキャンを実行することができる。この態様では、ウェイクアップモジュール４４４は、エネルギースキャンを実行するためにエネルギー検出システム４６０を周期的に起動することができる。エネルギー検出システム４６０がページパケットのエネルギーを検出したとき、エネルギー検出システム４６０は検出信号を低電力スキャンモジュール４４８に送ることができる。検出信号を受信すると、低電力スキャンモジュール４４８は、以下でさらに説明するように、ページスキャンをスケジュールするようにページスキャンモジュール４４２に命令することができる。エネルギースキャンは、より多くの電力を必要とする、パケット中のデータを復元するためにページパケットを復調しようと試みるのではなく、受信されたページパケットのエネルギーを検出することによって、ページスキャンよりも少ない電力を消費する。
【００３６】
エネルギー検出システム４６０は、たとえば、所定のしきい値を上回り、所定の周波数帯域内にある受信エネルギーを検出することによって、ページパケットのエネルギーを検出することができる。たとえば、エネルギー検出システムは、チャネルセレクタ４４６によって選択されたチャネルを中心とする周波数帯域内の受信エネルギーを検出することができる。「所定のしきい値」という用語は、たとえば、しきい値を利用する前に判断されたしきい値を指すことができる。この例では、周波数帯域は、１ＭＨｚとすることができる、ページパケットの周波数帯域に対応し得る。これは、受信信号から帯域外ブロッカを除去するという利点を有する。これはまた、２０ＭＨｚから４０ＭＨｚの帯域幅を有し得るＷＬＡＮ信号など、ページパケットよりも広い帯域幅を有するブロッカのエネルギーを低減するという利点を有する。したがって、エネルギー検出システムは、ブロッカを除去し、したがって偽検出のレートを低減するために、バンドパスフィルタ処理を採用することができる。
【００３７】
別の例では、エネルギー検出システム４６０は、ページパケットと同様の形状を有する受信エネルギーを検出することができる。たとえば、６８μｓの長さを有するページパケットの場合、エネルギー検出システム４６０は、約６８μｓの継続時間の間、しきい値を上回る受信エネルギーを検出するように構成できる。これは、ブルートゥース接続パケット、および／またはページパケットの長さとは異なるパケット長を有するたいていのＷＬＡＮパケットを消去するという利点を有する。
【００３８】
したがって、エネルギー検出システム４６０は、ページパケットの特性（たとえば、１ＭＨｚ帯域幅、６８μｓ長、または他の帯域幅／長さ）を有する受信エネルギーを検出するように構成できる。エネルギー検出システムの例示的な実装形態を以下に与える。
【００３９】
一態様では、エネルギー検出システム４６０はまた、照会パケットのエネルギーを検出することができる。照会パケットは、ページパケットと同じまたは同様の長さ（たとえば、６８μｓ）、パケット構造および／または帯域幅を有することができる。したがって、照会パケットのエネルギーを検出するために、ページパケットのエネルギーを検出するためのエネルギー検出技法を適用することができる。この態様では、低電力スキャンモジュール４４８は、照会スキャンモードにおいて照会パケットのエネルギーが検出されたときに照会スキャンを実行するように、照会スキャンモジュール４４３に命令するように構成できる。
【００４０】
ウェイクアップモジュール４４４は、エネルギースキャンを実行するために、エネルギー検出システム４６０をスリープ状態から周期的に起動するように構成できる。たとえば、ウェイクアップモジュール４６０は、たとえば、１１．２５ｍｓの継続時間の間１．２８秒ごとに１回、エネルギー検出システム４６０を周期的に起動することができる。受信機３０およびモデムプロセッサ３５は、エネルギー検出システム４６０がエネルギースキャンを実行する間スリープ状態のままである。これは図４Ｂに示され、送信機４２５、受信機４３０およびモデムプロセッサ４３５の周囲の破線は、エネルギー検出システム４６０がページパケットのエネルギーをスキャンする間、それらがスリープ状態であることを示している。エネルギー検出システム４６０がページパケットのエネルギーを検出した場合、低電力スキャンモジュール４４８は、ページスキャンをスケジュールするようにページスキャンモジュール４４２に命令することができる。この例では、デバイス４１０は、エネルギースキャンを実行するためにエネルギー検出システム４６０を周期的に起動し、ページパケットのエネルギーが検出されたときにページスキャンをスケジュールすることによって、ページスキャンモード中の電力を節約する。したがって、エネルギー検出システム４６０は、それらのエネルギーを検出することによってページパケットをプレスクリーニングし、低電力スキャンモジュール４４８は、ページパケットのエネルギーが検出されたときにページスキャンを開始する。同様に、照会スキャンモードにおいて、エネルギー検出システム４６０を使用して、照会パケットをプレスクリーニングするために照会パケットのエネルギーを検出することができ、低電力スキャンモジュール４４８は、照会パケットのエネルギーが検出されたときに照会スキャンを開始することができる。
【００４１】
図５に、エネルギースキャンモードにおけるエネルギー検出システム４６０の電流消費量のプロットの一例を示す。図５の例では、ウェイクアップモジュール４４４は、１１．２５ｍｓの継続時間の間にエネルギースキャンを実行するために、１．２８秒ごとにエネルギー検出システム４６０をスリープ状態から周期的に起動する。図５に示すように、エネルギー検出システム４６０によって消費される電流５２０は、ページスキャン中に受信機４３０およびモデムプロセッサ４３５によって消費される、破線で示された電流５１０よりも少ない。
【００４２】
次に、低電力スキャンモジュール４４８によって実行され得るプロセスの例について説明する。図６Ａは、本開示の一態様による、低電力スキャンモジュール４４８によって実行され得るプロセスを示すフローチャートである。ステップ６１０において、低電力スキャンモジュール４４８は、エネルギー検出システム４６０にエネルギースキャンを完了させる。ステップ６２０において、低電力スキャンモジュール４４８は、ページスキャンが必要であるかどうかを判断する。たとえば、低電力スキャンモジュール４４８は、エネルギー検出システム４６０がエネルギースキャン中にページパケットのエネルギーを検出した場合、ページスキャンが必要であると判断することができる。ページスキャンが必要でない場合、プロセスは終了する。ページスキャンが必要である場合、低電力スキャンモジュール４４８は、ステップ６３０において、ページスキャンを開始するようにページスキャンモジュール４４２に命令する。
【００４３】
図６Ｂは、図６Ａのプロセスのためのエネルギースキャン６５０およびページスキャン６６０のタイミングを示すタイミング図の一例である。この例では、エネルギースキャン６５０の継続時間は１１．２５ｍｓであるが、他の継続時間を使用してもよい。エネルギースキャン６５０のより低い高さは、エネルギースキャン６５０が、ページスキャン６６０よりも少ない電流、したがって少ない電力を消費することを示す。この例では、低電力スキャンモジュール４４８は、ページスキャンが必要であると判断し、エネルギースキャン６５０が完了した後にページスキャン６６０をスケジュールする。この例では、ページスキャン６６０は１１．２５ｍｓのページスキャンウィンドウを有するが、ページスキャンウィンドウは、たとえば、ページングデバイスによって使用されるページ列の長さに応じて、他の長さを有することができる。
【００４４】
図６Ａおよび図６Ｂのプロセスは、照会スキャンモードにも適用でき、低電力モジュールは、照会スキャンが必要であるか（たとえば、照会パケットのエネルギーが検出されたか）どうかを判断し、照会スキャンが必要である場合、照会スキャンを開始するように照会スキャンモジュール４４３に命令することができる。
【００４５】
図７Ａは、本開示の別の態様による、低電力スキャンモジュール４４８によって実行され得るプロセスを示すフローチャートである。ステップ７１０において、低電力スキャンモジュール４４８は、エネルギースキャン中にエネルギー検出システム４６０からエネルギー検出信号を受信し、検出信号は、ページパケットのエネルギーが検出されたことを示す。ステップ７２０において、低電力スキャンモジュール４４８は、電力を節約するために、現在のエネルギースキャンを終了するようにエネルギー検出システム４６０に命令する。ステップ７３０において、低電力スキャンモジュール４４８は、エネルギー検出時間から約１ページ列間隔（たとえば、１０ｍｓ）後に短縮ページスキャンを開始するように、ページスキャンモジュール４４２に命令する。本開示の一態様では、短縮ページスキャンの継続時間は、近似的に、全長ページスキャンの継続時間（たとえば、１１．２５ｍｓ）−エネルギースキャン中のエネルギー検出までの時間である。短縮ページスキャン間隔は、有利には、ページスキャンを実行するために使用される電力を低減し、したがって偽検出のコストを低減する。低電力スキャンモジュールなどのモジュールは、たとえば、コマンドまたは信号を与えることによって、機能を実行するように別のモジュールまたはシステムに命令することができる。
【００４６】
図７Ｂは、図７Ｂのプロセスのためのエネルギースキャン７５０および短縮ページスキャン７６０のタイミングを示すタイミング図の一例である。この例では、時間７５２においてページパケットのエネルギーが検出されたときに（またはその直後に）エネルギースキャン７５０が停止される。エネルギースキャンを停止することは、エネルギースキャンを完了することと比較して電力消費量を低減する。図７Ｂにおいて、破線７５５内の面積は、この例ではエネルギースキャン７５０を停止することによって節約される電力を示す。エネルギー検出時間７５２から約１ページ列間隔後、短縮ページスキャン７６０が開始する。図７Ｂの例では、１ページ列間隔は約１０ｍｓである。短縮ページスキャン７６０の継続時間は、近似的に、全長ページスキャン（たとえば、１１．２５ｍｓ）の継続時間−エネルギースキャン７５０中のエネルギー検出までの時間である。図７Ｂにおいて、破線７６５内の面積は、ページスキャン７６０の継続時間を短縮することによって節約される電力を示す。
【００４７】
この態様では、短縮ページスキャンは、ページパケットがページスキャンの初めに送信されたチャネルと、デバイスがページスキャンを実行するチャネルとが同じになるように、エネルギー検出時間から約１ページ列間隔後に開始する。これは、ページ列の各チャネルがページ列間隔（たとえば、１０ｍｓ）ごとに反復し、エネルギースキャンとページスキャンとが同じチャネルにおいて実行されるという仮定に基づく。したがって、エネルギー検出システム４６０が、あるチャネル上のページパケットを検出した場合、ページパケットは、ページスキャンの初めに（エネルギー検出時間から１ページ列間隔後に）同じチャネル上で再送信されることになる。この態様は、短縮ページスキャンを使用することによって電力を節約する。図７Ｂの例に示すように、短縮ページスキャン７６０は、受信機４３０およびモデムプロセッサ４３５が十分に電源投入するための時間マージンを与えるためにエネルギー検出時間から１ページ列間隔後よりもわずかに前に開始できる。
【００４８】
図７Ａおよび図７Ｂのプロセスは、照会パケットのエネルギーが検出された後に照会スキャンをスケジュールするために、照会スキャンモードにも適用できる。たとえば、照会デバイスは、チャネルのシーケンスを備える照会列を使用して、照会パケットを送信することができる。照会デバイスは、照会列中のチャネルの各々上で照会パケットを送信することができ、照会列間隔ごとに照会列を反復することができる。この例では、照会パケットのエネルギーが検出されたとき、低電力スキャンモジュールは、現在のエネルギースキャンを終了し、エネルギー検出時間から約１照会列間隔後に照会スキャンを開始することができる。
【００４９】
図８は、本開示の別の態様による、図７Ａのプロセスにおいて使用できる短縮ページスキャン８６０のタイミングを示すタイミング図である。この態様では、短縮ページスキャン８６０は、前の態様と同様の方法で、エネルギー検出時間から約１ページ列間隔後に開始する。しかしながら、短縮ページスキャン８６０の継続時間は、約２タイムスロット（たとえば、２＊０．６２５ｍｓ）、または任意のタイムスロット数とすることができる。この態様は、ページスキャン８６０は、エネルギースキャン中にページパケットのエネルギーが検出されたのと近似的に同じチャネルにおいて、１フレーム内のページパケットを正常にスキャンすることができるという発想に基づく。図８において、破線８６８内の面積は、図７Ｂの例と比較して節約された電力を示す。
【００５０】
図９Ａは、本開示の別の態様による、低電力スキャンモジュール４４８によって実行され得るプロセスを示すフローチャートである。ステップ９１０において、低電力スキャンモジュール４４８は、エネルギースキャン中にエネルギー検出システム４６０からエネルギー検出信号を受信する。ステップ９２０において、低電力スキャンモジュール４４８は、現在のエネルギースキャンを終了するようにエネルギー検出システム４６０に命令する。ステップ９３０において、低電力スキャンモジュール４４８は、ページングデバイスのページ列の予想される次のチャネルにおいてページスキャンを開始するように、ページスキャンモジュールに命令する。低電力スキャンモジュール４４８は、たとえば、ページ列を発生するためにページングデバイスによって使用される同じアルゴリズムおよびＢＤ＿ＡＤＤＲを使用してページ列を発生することによって、ページ列中のチャネルのシーケンスを判断することができる。低電力スキャンモジュール４４８はまた、ページングデバイスからページ列を受信することができる。ページ列が知られた後、低電力スキャンモジュール４４８は、ページパケットのエネルギーが検出されたチャネルに基づいてページ列中の次のチャネルを予測し、ページ列のチャネルのシーケンス中の次のチャネルを探すことができる。予想される次のチャネルを判断した後、低スキャンモジュール４４８は、次に予想されるチャネルにおいてページスキャンを開始するように、ページスキャンモジュールに命令することができる。この態様は、デバイスがページングされているときのページスキャンの遅延を低減するという利点を有する。
【００５１】
図９Ｂは、図９Ａのプロセスのためのエネルギースキャン９５０およびページスキャン９６０のタイミングを示すタイミング図の一例である。この例では、時間９５２においてページパケットのエネルギーが検出されたときに（またはその直後に）エネルギースキャン９５０が停止される。ページスキャン９６０は、ページ列の予想される次のチャネルにおいて開始する。予想される次のチャネルは、エネルギーが検出されたチャネルの直後に来る、ページ列中のチャネルのシーケンス中のチャネルとすることができる。予想される次のチャネルはまた、たとえば、ページスキャン９６０を実行するために受信機４３０およびモデムプロセッサ４３５を初期化するためにどのくらい長くかかるかに応じて、エネルギーが検出されたチャネルの後に来る第２のチャネルか、またはより後の後続のチャネルとすることができる。図９Ｂの例では、ページスキャンは１１．２５ｍｓのページスキャンウィンドウ長を有するが、ページスキャンウィンドウは、電力を節約するために他の長さ、たとえば、より短い長さを有することができることを理解されたい。
【００５２】
図７Ａおよび図７Ｂのプロセスは、照会パケットのエネルギーが検出された後に照会スキャンをスケジュールするために、照会スキャンモードにも適用できる。
【００５３】
図１０は、本開示の一態様による、ページスキャンを実行するための受信機１０３０を示す概念ブロック図である。図１０の受信機１０３０はまた、照会スキャンモードで照会スキャンを実行し、他のブルートゥース信号を受信するために使用できる。受信機１０３０は、図４Ａに示す受信機４３０を実装するために使用できる。受信機１０３０は、アンテナ４２０によって受信された信号を増幅するための低雑音増幅器（ＬＮＡ）１００５を含む。ＬＮＡ１００５からの増幅された信号は、受信機１０３０の同相（Ｉ）パス１０１０と直角位相（Ｑ）パス１０１５との間で分割される。パス１０１０は、ミキサ１０２０ａと、ベースバンド増幅器１０２５ａと、アンチエイリアシングフィルタ１０３２ａと、アナログデジタル（ＡＤＣ）変換器１０３５ａとを含む。パス１０１５は、ミキサ１０２０ｂと、ベースバンド増幅器１０２５ｂと、アンチエイリアシングフィルタ１０３２ｂと、アナログデジタル（ＡＤＣ）変換器１０３５ｂとを含む。受信機１０３０は、周波数合成器１０５０と、Ｉパスのためのバッファ１０４０ａと、Ｑパスのためのバッファ１０４０ｂとをさらに含むことができる。ＡＤＣ１０３５ａ／１０３５ｂは、デルタシグマＡＤＣ、フラッシュＡＤＣ、または任意の他のタイプのＡＤＣを使用して実装できる。
【００５４】
パス１０１０および１０１５の各々において、その対応するミキサ１０２５ａ／１０２５ｂは、それぞれの信号を周波数合成器１０５０からの局部発振器信号ＬＯI／ＬＯQと混合することによって、その信号をベースバンドに周波数ダウンコンバートする。Ｑパス１０１５中のミキサ１０２０ｂの局部発振器信号ＬＯQは、信号のＱ成分を与えるために、Ｉパス１０１０中のミキサ１０２０ａの局部発振器信号ＬＯIと９０度位相がずれている。周波数合成器１０５０は、チャネルセレクタ４４６から入力された所望のチャネルに従って、局部発振器信号ＬＯIおよびＬＯQの周波数を調整することができる。一態様では、局部発振器信号ＬＯIおよびＬＯQは、１ＭＨｚ離間した７９個の異なるチャネルに対応し得る２．４０２から２．４８０ＧＨｚの周波数レンジ内で調整できる。他の周波数レンジおよびチャネル方式を使用してもよい。たとえば、受信機は、受信されたＲＦ信号を、ベースバンドではなく中間周波数にダウンコンバートすることができる。図１０の受信機は例にすぎず、ページパケットまたは照会パケットを受信するために他の受信機アーキテクチャを使用してもよい。
【００５５】
周波数合成器１０５０の実装例を以下に与える。局部発振器パス中のバッファ１０４０ａおよび１０４０ｂは、それぞれミキサ１０２５ａおよび１０２５ｂに行く前に、局部発振器信号ＬＯIおよびＬＯQのエッジをシャープ化するために使用できる。局部発振器パスはまた、局部発振器信号ＬＯIおよびＬＯQを増幅するための増幅器を含むことができる。
【００５６】
各パスでは、その対応するベースバンド増幅器１０２５ａ／１０２５ｂは、それぞれのベースバンド信号を増幅する。ベースバンド増幅器１０２５ａ／１０２５ｂの増幅された出力信号は、次いで、アナログデジタル変換の前にエイリアシング成分を除去するために、アンチエイリアシングフィルタ１０３２ａ／１０３２ｂによってフィルタ処理される。アンチエイリアシングフィルタは約７００ＫＨｚの出力帯域幅を有することができる。アンチエイリアシングフィルタ１０３２ａ／１０３２ｂのフィルタ処理された出力信号は、信号をデジタル化するために、それぞれのＡＤＣ１０３５ａおよび１０３５ｂに入力される。ＡＤＣ１０３５ａおよび１０３５ｂは、高線形性、高雑音パフォーマンスおよび高ダイナミックレンジ（たとえば、７０ｄＢ）を有することができる。Ｉパス１０１０およびＱパス１０１５のデジタル出力信号は、デジタル処理のためにモデムプロセッサ４３０に入力される。モデムプロセッサ４３０は、受信された信号のページパケットまたは照会パケット中のデータを復元するために、デジタル信号に対して復調（たとえば、ＧＦＳＫ復調）を実行することができる。
【００５７】
ページスキャンモードにおいて、チャネルセレクタ４４６は、ページチャネルホッピングシーケンスに基づいてチャネルをホッピングすることができる。一態様では、チャネルセレクタ４４６は、ページスキャン当たり１チャネルのレートでチャネルをホッピングする。
【００５８】
ページスキャンモードまたは照会スキャンモードにおいて、受信機１０３０は、たとえば、１１．２５ｍｓのスキャンウィンドウの間、ページスキャン間の１．２８秒の間隔、または照会スキャン間の２．５６秒の間隔の、時間のわずか１％以下で電源投入できる。しかしながら、ブルートゥース対応デバイスは、ほとんどの時間、ページスキャンモードおよび／または照会スキャンモードで動作し得るので、ページスキャンモードおよび照会スキャンモード中の受信機電流は、デバイスのバッテリー寿命に著しい影響を及ぼし得る。したがって、デバイスのバッテリー寿命を延長するために、ページスキャンモードおよび照会スキャンモードにおける電流を低減することが望ましい。
【００５９】
図１１は、本開示の一態様によるエネルギー検出システム１１６０の概念ブロック図である。エネルギー検出システム１１６０は、図４Ａまたは図４Ｂのエネルギー検出システム４６０を実装するために使用できる。ページスキャニングデバイスまたは照会スキャニングデバイス（たとえば、図４Ａのデバイス４１０）は、ページパケットまたは照会パケット中のデータを復元するためにページパケットまたは照会パケットを復調するのではなく、ページパケットまたは照会パケットのエネルギーを検出するためにエネルギー検出システム１１６０を利用することによって、電力消費量を低減することができる。
【００６０】
この態様では、エネルギー検出システム１１６０は、図１０の受信機１０３０からのコンポーネントを含むことができる。より詳細には、エネルギー検出システム１１６０は、ＬＮＡ１００５と、受信機４３０のＩパス１０１０中のミキサ１０２０ａおよびベースバンド増幅器１０２５ａとを含むことができる。Ｑパス１０１５中のミキサ１０２０ｂおよびベースバンド増幅器１０２５は、それらがエネルギー検出システム１１６０では使用されないことを示すために破線で示されている。受信機１０３０のＱパス１０１５を使用しないことによって、エネルギー検出システム１１６０は、Ｑパス１０１５中のコンポーネントによる電力消費量をなくす。エネルギー検出システム１１６０はまた、キャパシタ１１０５と、第２の増幅器１１１０と、バンドパスフィルタ１１２０と、エネルギー検出器１１３０とを備えることができる。エネルギーシステム１１６０は、周波数ダウンコンバージョンおよびチャネル選択のための周波数合成器１０５０と、バッファ１０４０ａとをさらに備えることができる。この例では、コンポーネント１００５、１０２０ａ、１０２５ａ、１０５０、および１０４０ａは、受信機１０３０ならびにエネルギー検出システム１１６０のために使用される。別の例では、受信機１０３０およびエネルギー検出システム１１６０は、同じコンポーネントを共有するのではなく、別個のコンポーネントを利用することができる。
【００６１】
本開示の一態様では、ミキサ１０２０ａは、所望のチャネルにおけるＬＮＡ１００５からの信号を、ベースバンドではなく中間周波数（ＩＦ）に周波数ダウンコンバートする。ＧＦＳＫ変調されたページ信号または照会信号の場合、ページ信号または照会信号は、ＩＦにダウンコンバートされたときに、そのエネルギーのすべてが１チャネル中に保たれることを可能にする一定な包絡線を有する。ＩＦは、４ＭＨｚまたは別の周波数とすることができる。次いで、ミキサ１０２０ａのＩＦ出力信号は、ＩＦにおいてページ信号を増幅するために十分な帯域幅を有するベースバンド増幅器１０２５ａによって増幅される。ベースバンド増幅器１０２５ａの増幅された出力信号はさらに第２の増幅器１１１０によって増幅される。第２の増幅器１１１０は、エネルギー検出の前に信号の電力をさらにブーストするために使用でき、２０ｄＢの利得を有することができる。第２の増幅器１１１０の出力信号は次いでバンドパスフィルタ１１２０によってフィルタ処理される。一態様では、バンドパスフィルタ１１２０は、帯域外ブロッカをフィルタ除去しながら、ＩＦを中心とする１ＭＨｚ帯域幅を有するページパケット（たとえば、４ＭＨｚ±５００ＫＨｚ）が通過することを可能にする、バンドパスを有するように構成できる。バンドパスフィルタ１１２０は、１次のローパスフィルタと１次のハイパスフィルタとの組合せによって実装できる。キャパシタ１１０５は、ブロッカのフィルタ処理を強化するために、ローパスフィルタを２次まで増大させるために使用できる。
【００６２】
次いで、エネルギー検出器１１３０はバンドパスフィルタ１１２０の出力におけるエネルギーを検出する。たとえば、エネルギー検出器は、所定のしきい値を上回るエネルギーを検出することができる。エネルギーが検出されたとき、エネルギー検出器１１３０は検出信号を低電力スキャンモジュール４４８に送ることができる。使用できるエネルギー検出器のタイプの例には、２乗平均検出器、ピーク検出器、および他のタイプの検出器がある。エネルギー検出器はアナログ領域またはデジタル領域中に実装できる。
【００６３】
一態様では、チャネルセレクタ４４６は、ページスキャンのために使用された同じページチャネルホッピングシーケンスに基づいて、各エネルギースキャンのためにチャネルをホッピングすることができる。エネルギースキャンおよびページスキャン中にあるチャネルにおいてエネルギーが検出されたとき、またはエネルギー検出に応答して照会スキャンが開始されたとき、エネルギーが検出された同じチャネルにおいてページスキャンまたは照会スキャンを実行することができる。ページスキャンまたは照会スキャンは、上述した方法のうちのいずれかを使用してスケジュールできる。
【００６４】
図１２Ａは、本開示の一態様による、エネルギー検出器１２３０の概念ブロック図である。エネルギー検出器１２３０は、図１１のエネルギー検出器１１３０を実装するために使用できる。エネルギー検出器１２３０は、ピーク検出器１２０５と、デジタルしきい値をアナログしきい値電圧に変換するためのしきい値デジタルアナログ変換器（ＤＡＣ）１２１０と、コンパレータ１２１５と、プロセッサ１２２０とを備えることができる。ピーク検出器１２０５は、バンドパスフィルタ１１２０からの入力信号のピーク電圧に等しい電圧を出力するように構成できる。入力信号のピーク電圧は入力信号の包絡線を測定する。（たとえば、ＧＦＳＫ変調された）一定な包絡線を有するページング信号または照会信号の場合、ページング信号または照会信号のエネルギーは、その包絡線によって測定できる。したがって、ピーク検出器の出力は、ページング信号または照会信号のエネルギーの測度として使用できる。ピーク検出器１２０５は、たとえば、ピーク電圧を保持するためにダイオードとキャパシタとの直列結合を使用して実装できる。
【００６５】
ピーク検出器１２０５からのピーク電圧とアナログしきい値電圧とはコンパレータ１２１５に入力される。コンパレータ１２１５は、ピーク電圧が、エネルギー検出を示すしきい値電圧を上回るときには高信号を出力し、ピーク電圧がしきい値電圧を下回るときには低信号を出力することができる。しきい値は、低ページスキャンモジュール４４８によって供給でき、たとえば、エネルギー検出器１２３０の所望の感度に応じて設定できる。
【００６６】
プロセッサ１２２０は、コンパレータ１２１５の出力が高い場合、ページパケットまたは照会パケットのエネルギーを検出することができる。一態様では、プロセッサ１２２０は、コンパレータ１２１５の出力が高い場合、検出信号を低電力スキャンモジュール４４８に出力することができる。別の態様では、プロセッサ１２２０は、コンパレータ１２１５の出力が高い間の継続時間を追跡し、継続時間がページパケットまたは照会パケットの継続時間に近似的に等しいおよび／またはそれよりも長い（たとえば、６８μｓ）ときに検出信号を出力することができる。
【００６７】
本開示の一態様では、エネルギー検出器１２３０中のピーク検出器１２０５の代わりに、スクエアリング回路およびフィルタリング回路を使用することができる。ＧＰＳＫ変調されたページ信号または照会信号は、ＩＦ中に一定な包絡線を有するので、スクエアリング回路は、ページ信号または照会信号を、ページ信号または照会信号のピークまたは２乗平均（ｒｍｓ）電圧と２次高調波とに比例する、ＤＣ電圧レベルに変換する。フィルタリング回路は、信号を検出するためにＤＣ電圧レベルがコンパレータ１２１５に入力されるように、２次高調波をフィルタ除去するために使用できる。
【００６８】
図１２Ｂは、本開示の一態様による、エネルギー検出システム１２６０の概念ブロック図である。この態様では、エネルギー検出システム１２６０は、ＬＮＡ１２４０と、１つまたは複数の無線周波数（ＲＦ）増幅器ステージ１２５０と、エネルギー検出器１２３０と、を備える。この態様では、ＬＮＡ１２４０ならびに１つまたは複数のＲＦ増幅器ステージ１２５０は、アンテナ４２０によって受信された信号を増幅し、増幅された信号はエネルギー検出のためにエネルギー検出器１２３０に入力される。本態様によるエネルギー検出システム１２６０の利点は、ミキサおよび周波数合成器を必要とせず、電力消費量をさらに低減することである。エネルギー検出システム１２６０は、帯域外ブロッカをフィルタ除去するために、ＬＮＡ１２４０の前に帯域選択フィルタ（図示せず）を含んでもよい。さらに、１つまたは複数のＲＦ増幅器段１２５０の負荷調整回路は、帯域外ブロッカの２次フィルタ処理を行うように構成できる。
【００６９】
図１３は、本開示の一態様によるエネルギー検出システム１３６０の概念ブロック図である。エネルギー検出システム１３６０は、図１０に示された、ＬＮＡ１００５と、ミキサ１０２０ａと、受信機１０３０のベースバンド増幅器１０２５ａとを備える。エネルギー検出システム１３６０はまた、第２の増幅器１１１０と、ハイパスフィルタとローパスフィルタとの組合せとして実装できるバンドパスフィルタ１１２０とを備えることができる。
【００７０】
エネルギー検出システム１３６０は、（たとえば、３２ＭＨｚのサンプリングレートで）バンドパスフィルタ１１２０からの入力信号をサンプリングし、信号の各サンプルをデジタル値に変換するように構成された、アナログデジタル変換器１３０５をさらに備えることができる。一態様では、アナログデジタル変換器は、そのしきい値がシステム中のＤＣオフセットを克服するために０電圧または小さい電圧に設定されている場合、入力信号の１ビット量子化を実行する１ビットサンプラおよび量子化器１３０５によって実装できる。１ビットサンプラおよび量子化器１３０５は、３２ＭＨｚのサンプリングレートで入力信号をサンプリングすることができる。３２ＭＨｚサンプリングレートおよび１ＭＨｚ信号帯域（たとえば、ページパケットの帯域幅）の場合、オーバーサンプリング比は３２であり、１ビットサンプラおよび量子化器の実効ダイナミックレンジを増加させる。他のサンプリングレートを使用してもよい。一態様では、バンドパスフィルタ１１２０および／または増幅器１１１０は、１ビットサンプラおよび量子化器１３０５のためにエイリアシング成分をフィルタ除去するように構成できる。
【００７１】
次いで、１ビットサンプラおよび量子化器１３０５の出力は、ページパケットまたは照会パケットのエネルギーが存在するかどうかを判断するために、エネルギー検出器１３３０によってデジタル的に処理され得る。この態様では、エネルギー検出器１３３０は、デジタルシグナルプロセッサ（ＤＳＰ）または他のタイプのプロセッサによって実装できる。この態様では、エネルギー検出器１３３０は、２つのミキサ１３１０ａおよび１３１０ｂと、２つのベースバンドフィルタ１３１５ａおよび１３１５ｂと、包絡線検出器１３２０と、第２のベースバンドフィルタ１３２５と、硬判定検出器１３３５と、エネルギープロファイルプロセッサ１３４０とを備えることができる。
【００７２】
一態様では、１ビットサンプラおよび量子化器１３０５の出力信号は、それぞれ、Ｉパス１３０８ａとＱパス１３０８ｂに分割され、ミキサ１３１０ａおよび１３１０ｂによってベースバンドに周波数ダウンコンバートされる。ミキサは、各パス１３０８ａおよび１３０８ｂ中の信号に反復０、＋１、０、−１のシーケンスを乗算することによってデジタル的に実装できる。ＩミキサおよびＱミキサのためのシーケンスは互いに１ビットだけシフトできる。次いで、Ｉベースバンド信号およびＱベースバンド信号は、雑音を除去するために、それぞれ、ベースバンドフィルタ１３１５ａおよび１３１５ｂによってフィルタ処理される。ベースバンドフィルタ１３１５ａおよび１３１５ｂは、数百ＫＨｚ、たとえば、２２０ＫＨｚの範囲内の帯域幅を有することができる。次いで、Ｉフィルタ処理されたベースバンド信号およびＱフィルタ処理されたベースバンド信号は包絡線検出器１３２０に入力される。
【００７３】
一態様では、包絡線検出器１３２０は以下の演算を実行することができる。
【数１】
0005543624.tif 000002
【００７４】
ここで、Ｄは包絡線検出器１３２０の出力であり、ＩはＩベースバンド信号であり、ＱはＱベースバンド信号である。したがって、この態様における包絡線検出器１３２０は、Ｉベースバンド信号およびＱベースバンド信号の各々を２乗して、それらの２乗の和の平方根をとる。
【００７５】
この態様では、包絡線検出器１３２０は、Ｉベースバンド信号およびＱベースバンド信号のＧＦＳＫ変調を除去し、ページ信号または照会信号の包絡線、したがって、ページ信号または照会信号のエネルギーの測度を与えるＤＣレベルを出力する。次いで、包絡線検出器１３２０の出力は第２のベースバンドフィルタ１３２５によってフィルタ処理され得る。
【００７６】
一態様では、第２のベースバンドフィルタ１３２５は、ＤＣにおける検出器出力が、ＤＣから離れて信号を減衰させながら通過することを可能にするために、ＤＣを中心とする狭帯域幅を有することができる。第２のベースバンドフィルタ１３２５は、数十ＫＨｚ、たとえば、２５ＫＨｚの範囲内の帯域幅を有することができる。したがって、第２のベースバンドフィルタ１３２５は、得られた信号に狭帯域幅フィルタ処理を適用することによって、包絡線検出器によって出力されたＤＣレベルを分離するために使用できる。この技法は、たとえば、一定な包絡線を有しない信号をフィルタ除去するために使用できる。
【００７７】
次いで、第２のベースバンドフィルタ１３２５からの出力信号は硬判定検出器１３３５に入力され得る。硬判定検出器１３３５は、入力信号を硬判定しきい値と比較し、入力信号が硬判定しきい値を上回るときには論理高を出力し、入力信号が硬判定しきい値を下回るときには論理低を出力するように構成できる。硬判定検出器１３３５は１２５ＫＨｚのサンプリングレートまたは他のサンプリングレートを有することができる。したがって、硬判定検出器１３３５は、入力信号が硬判定しきい値を上回るか下回るかに基づいて、エネルギーが存在するかどうかについての硬判定を行うことができる。硬判定検出器１３３５は、たとえば、０から２５５ビットの範囲内のプログラム可能なしきい値を有することができる。
【００７８】
次いで、硬判定検出器１３３５の出力はエネルギープロファイルプロセッサ１３４０に入力され得る。一態様では、エネルギープロファイルプロセッサ１３４０は、硬判定検出器１３３５によるエネルギー検出の継続時間を測定し、エネルギー検出の継続時間がページパケットまたは照会パケットの長さ（たとえば、６８μｓ）に対応するかどうかを判断するように構成できる。エネルギープロファイルプロセッサ１３４０は、たとえば、タイムウィンドウ内の検出されたエネルギーを示す硬判定検出器１３３５からのサンプルの数をカウントすることによって、エネルギー検出の継続時間を測定することができる。タイムウィンドウ内のカウントがカウントしきい値を上回る場合、エネルギープロファイルプロセッサ１３４０は、ページパケットまたは照会パケットのエネルギーが検出されたと判断し、検出信号を低電力スキャンプロセッサ４４８に出力することができる。エネルギープロファイルプロセッサ１３４０は、検出されたエネルギーを示すサンプルの数をカウントするために１つまたは複数のカウンタ（図示せず）を使用することができ、時間を追跡するためにクロック信号、たとえば、ブルートゥースクロックを受信することができる。さらに、エネルギープロファイルプロセッサ１３４０は、たとえば、ページパケットまたは照会パケットのエネルギーが最初に検出された時間を示すタイムスタンプを、低電力スキャンプロセッサ４４８に出力することができる。
【００７９】
一態様では、エネルギープロファイルプロセッサ１３４０は、ページパケットまたは照会パケットの検出を表す前に、２つの条件が満たされるかどうかを判断することができる。第１の条件は、第１のタイムウィンドウ内の検出されたエネルギーを示すサンプルの数が第１のカウントしきい値以上であることとすることができる。第１の条件は、エネルギー検出の継続時間がページパケットまたは照会パケットからとするのに十分長い（たとえば、６８μｓ）かどうかを判断するために使用できる。第２の条件は、第２のウィンドウ内の検出されたエネルギーを示すサンプルの数が第２のカウント値以下であることとすることができる。第２の条件は、エネルギー検出の継続時間がページパケットまたは照会パケットからとするには長すぎるかどうかを判断するために使用でき、長すぎる場合、検出されたエネルギーは、ページパケットまたは照会パケットと干渉し得る別の信号（たとえば、ＷＬＡＮ信号）からとすることができる。
【００８０】
図１４は、本開示の一態様によるエネルギー検出システム１４６０の概念ブロック図である。この態様では、１ビットサンプラおよび量子化器１２０５は、サンプラ１４１０とコンパレータ１４２０とを備える。図１４に示す例では、サンプラは、バンドパスフィルタ１１２０からの信号を３２ＭＨｚのサンプリングレートでサンプリングするが、他のサンプリングレートを使用してもよい。サンプラ１４１０の出力はコンパレータ１４２０の第１の入力１４２２に入力される。コンパレータ１４２０の第２の入力１４２４には電圧しきい値が入力される。しきい値電圧は約０ボルトまたは数ミリボルトとすることができる。一態様では、コンパレータ４２０は、サンプラ１４１０からの各サンプルをしきい値電圧と比較し、サンプルがしきい値を上回るときには論理高を出力し、サンプルがしきい値を下回るときには論理低を出力することができる。コンパレータ１４２０は、サンプルを保持するために、入力１４２２にサンプリングキャパシタ（図示せず）を含むことができる。サンプリングキャパシタは、１０ｆＦよりも大きいキャパシタンスを有することができる。
【００８１】
エネルギー検出システム１４６０はまた、１ビットサンプラおよび量子化器１２０５とミキサ１３１０ａおよび１３１０ｂとの間に第２のアンチエイリアシングフィルタ１４３０とデシメータ１４４０とを備える。一態様では、デシメータ１４４０は、１ビットサンプラおよび量子化器からの信号を１６ＭＨｚのサンプリングレートにデシメートするように構成される。第２のアンチエイリアシングフィルタ１４３０は、デシメータ１４４０によるデシメーションの前に、１６ＭＨｚのサンプリングレートのためにエイリアシング成分をフィルタ除去するように構成できる。この態様では、デシメータ１４４０は、ＩＦが４ＭＨｚである場合のミキサ１３１０ａおよび１３１０ｂの実装形態を単純化するために、ミキサ１３１０ａおよび１３１０ｂへの信号を１６ＭＨｚのサンプリングレートにデシメートする。これは、ＩＦよりも４倍速いサンプリングレートにより、ミキサ１３１０ａおよび１３１０ｂが、各ミキサ１３１０ａおよび１３１０ｂにおける信号に０、＋１、０、−１の反復シーケンスを乗算することによって実装できるようになるからである。たとえば、エネルギー検出システム１４６０のＩＦに応じて、デシメータ１４４０のために他のサンプリングレートを使用してもよい。
【００８２】
図１５は、本開示の一態様による周波数合成器１５１０の概念ブロック図である。周波数合成器１５１０は、ミキサ１０２０ａおよび１０２０ｂにおいてベースバンドへのＲＦ信号の直接変換のための局所発振器信号ＬＯIおよびＬＯQを発生するために、図１０の周波数合成器１０５０を実装するために使用できる。周波数合成器１５１０は、位相ロックループＰＬＬ１５３０と基準ＰＬＬ（ＲＰＬＬ）１５１５とを備えることができる。
【００８３】
一態様では、ＲＰＬＬ１５１５は、入力基準クロックから調整可能な周波数を有する基準信号を発生し、基準信号をＰＬＬ１５３０に出力する。たとえば、基準信号は、チャネルセレクタ４４６からの所望のチャネルに基づいて７５ＭＨｚから７７．５ＭＨｚの周波数レンジ内に調整できる。ＲＰＬＬ１５１５は、フラクショナルＮ  ＰＬＬまたは他のタイプのＰＬＬを使用して実装できる。ＰＬＬ１５３０は、ＲＰＬＬ１５１５から調整可能な基準信号を受信し、基準信号から発振器信号を発生し、発振器信号は、ＲＰＬＬ１５１５からの基準信号の周波数を調整することによって４．８０４ＧＨｚから４．９６０ＧＨｚの周波数レンジ内に調整できる周波数を有する。次いで、発振器信号は、ＩＱ２分割ディバイダ１５５５によって２．４０２ＧＨｚから２．４８０ＧＨｚの周波数レンジに分周され、ベースバンドへのＲＦ信号の直接変換のために局所発振器信号ＬＯIとＬＯQとに分割され得る。この態様では、局所発振器信号ＬＯIおよびＬＯQの周波数は、ＰＬＬ１５３０に入力されたＲＰＬＬ１５１５からの基準信号の周波数を調整することによって、異なるチャネルを選択するために２．４０２ＧＨｚから２．４８０ＧＨｚの周波数レンジ内で１ＭＨｚの増分で調整できる。上述の周波数レンジは例示にすぎず、他の周波数レンジを使用してもよい。
【００８４】
一態様では、ＰＬＬ１５３０は、位相周波数検出器（ＰＦＤ）１５３２と、電荷ポンプ１５３５と、ループフィルタ１５３７と、電圧制御発振器（ＶＣＯ）１５４０と、ＩＱ２分割ディバイダ１５５５と、フィードバック分周器１５４５とを備える。ループフィルタは、ＰＬＬ１５３０のフィードバックループに安定性を与え、フィルタ処理を行うために使用できる。この態様では、フィードバック分周器１５４５はＶＣＯの出力信号を固定整数（たとえば、３２）で分割し、それがＰＦＤ１５３２の入力のうちの１つに供給されてフィードバックループを形成する。分周器１５４５が３２で分割する例では、フィードバックループに沿った全分割は６４であり、ＶＣＯ１５４０は、基準信号が７５ＧＨｚから７７．５ＧＨｚの周波数レンジを有するとき、４．８０４ＧＨｚから４．９６０ＧＨｚの周波数レンジを有する調整可能な発振器信号を発生する。
【００８５】
動作中、ＰＦＤ１５３２は、調整可能な基準信号の位相と分周器１５４５および１５５５によって分割されたＶＣＯ出力信号の位相とを比較し、２つの信号間の位相差に基づいて位相誤差信号を電荷ポンプ１５３５に出力する。次いで、電荷ポンプ１５３５は、位相誤差信号に基づいて、ループフィルタ１５３７中のキャパシタ（図示せず）に電流を注入するか、またはそのキャパシタから電流を引き出す。ループフィルタ１５３７中のキャパシタに注入された、またはそのキャパシタから引き出された電流は、ＶＣＯ１５４０に制御電圧を供給するループフィルタ１５３７によって出力された電圧を調節する。ＶＣＯ１５４０への制御電圧の得られた調節は、位相誤差を最小限に抑える方向にＶＣＯ１５４０の周波数を調節する。
【００８６】
図１６は、本開示の一態様による周波数合成器１６１０の概念ブロック図である。周波数合成器１６１０は、ミキサ１０２０ａにおいてＩＦへのＲＦ信号のダウンコンバージョンのための局所発振器信号ＬＯIを発生するために、図１１のエネルギー検出システム１１６０のための周波数合成器１０５０を実装するために使用できる。この態様における周波数合成器１６１０は、デジタルＰＬＬ（ＤＰＬＬ）１６１５とＰＬＬ１６３０とを備える。
【００８７】
一態様では、ＤＰＬＬ１６１５は、固定周波数（たとえば、３２ＭＨｚ）を有する基準信号を基準クロック信号から発生するように構成されたフラクショナルＮ  ＰＬＬを備えることができる。基準クロック信号は、水晶発振器から来得、図１５中のＲＰＬＬ１５１５に入力された同じ基準クロック信号とすることができる。ＤＰＬＬ１６１５はまた、デジタルベースバンド処理のためにクロック信号をモデムプロセッサ４３０に与え、デジタル処理のためにクロック信号をエネルギー検出器１３３０に与えるために使用できる。デジタル処理は一般に、より雑音の多いクロック信号を許容することができるので、ＤＰＬＬ１６１５は一般に、ＲＰＬＬ１５１５よりも少ない電力を消費する。ＲＰＬＬ１５１５の代わりにＤＰＬＬ１６１５を使用することにより、周波数合成器１６１０は、図１５の周波数合成器１５１０よりも電力消費量を低減することが可能になる。ＤＰＬＬ１６１５は、ＲＰＬＬ１５１５と比較してより多くの雑音を有し得る。しかしながら、エネルギー検出システム１３３０は、ページパケットのデータ復調（たとえば、ＧＦＳＫ復調）の代わりにエネルギー検出を実行し、それにより周波数合成器１６１０のための雑音要件が緩和される。
【００８８】
一態様では、ＤＰＬＬ１６１５は、固定周波数基準信号（たとえば、３２ＭＨｚ）をＰＬＬ１６３０に出力する。ＰＬＬ１６３０は、位相周波数検出器（ＰＦＤ）１６３２と、電荷ポンプ１６３５と、ループフィルタ１６３７と、電圧制御発振器（ＶＣＯ）１６４０と、２つの２分割ディバイダ１６５５および１６６０と、４分割ディバイダ１６６５と、分周器１６４５とを備える。
【００８９】
一態様では、分周器１６４５は、フィードバックループ中のＶＣＯ出力信号の周波数を調節可能な分数除数（adjustable fractional divisor）で分割するように構成される。分周器１６４５は、２つの整数（たとえば、９と１０）の間の調節可能な分数除数を与える二重係数分周器を使用して実装できる。一態様では、分数除数は、９と１０の間で分周器１６４５をトグルすることによって実現でき、分数除数は、分周器１６４５が９および１０に費やす時間の割合によって判断される。この態様では、係数コントローラ１６４７は分周器１６４５の分数除数を制御することができる。分周器１６４５は、９と１０との間の分数除数以外に、他の分数除数を実装するように構成できる。
【００９０】
一態様では、ＰＬＬ１６３０によって出力される発振器信号の周波数は、ＰＬＬ１６３０のフィードバックパス中の分周器１６４５の分数除数を調節することによって調整できる。この態様では、係数コントローラ１６４７は、チャネルセレクタ４４６からの所望のチャネルに基づいて、分周器１６４５の分数除数を調節し、したがって発振器信号の周波数を調整することができる。発振器信号の周波数は、ミキサ１０２０ａにおいて、所望のチャネルに対応するＲＦ信号をＩＦ（たとえば、４ＭＨｚ）にダウンコンバートするように調整できる。したがって、この態様における発振器信号は、ＤＰＬＬ１６１５からの固定周波数基準信号から発生でき、分周器１６４５の分数除数を調節することによって調整できる。
【００９１】
周波数合成器１６１０は、ＲＦ信号をＩＦにダウンコンバートするために高側注入または低側注入を使用することができる。たとえば、チャネルが２．４３２ＧＨｚに対応し、ＩＦが４ＭＨｚである場合、発振器出力は、ＲＦ信号をＩＦにダウンコンバートするために２．４３６ＧＨｚ（高側注入）または２．４２８ＧＨｚ（低側注入）とすることができる。周波数合成器は、２つのタイプの注入を交互に行うことができる。たとえば、これらのタイプの注入のうちの一方が、あるチャネルにおいて分周器からのスパーを受けやすい場合、周波数合成器は、そのチャネルに対して他のタイプの注入を使用することができる。
【００９２】
図１７は、本開示の一態様によるデュアルモード周波数合成器１７１０の概念ブロック図である。本態様による周波数合成器１７１０は、ミキサ１０２０ａおよび１０２０ｂにおいてベースバンドへのＲＦ信号の直接ダウンコンバージョンのための局所発振器信号ＬＯIおよびＬＯQを発生するために、ページスキャンモードで動作することができる。周波数合成器１７１０はまた、ミキサ１０２０ａおいてＩＦへのＲＦ信号のダウンコンバージョンのための局所発振器信号ＬＯIを発生するために、エネルギースキャンモードで動作することができる。
【００９３】
一態様では、周波数合成器１７１０は、ＤＰＬＬ１６１５と、ＲＰＬＬ１５１５と、スイッチ１７１７と、ＰＬＬ１７３０とを備える。スイッチ１７１７は、周波数合成器１７１０の動作モードに基づいてＤＰＬＬ１６１５またはＲＰＬＬ１５１５のいずれかをＰＬＬ１７３０に結合する。周波数合成器１７１０がページスキャンモードで動作するとき、スイッチ１７１７はＲＰＬＬ１５１５をＰＬＬ１７３０の入力に結合する。周波数合成器１７１０がエネルギースキャンモードで動作するとき、スイッチはＤＰＬＬ１６１５をＰＬＬ１７３０の入力に結合する。
【００９４】
ＰＬＬ１７３０は、ＰＦＤ１７３２と、電荷ポンプ１７３５と、ループフィルタ１７３７と、ＶＣＯ１７４０とを備える。ＰＬＬ１７３０は、周波数合成器の２つの動作モードをサポートするために２つのフィードバックパスをさらに備える。第１のフィードバックパスは、２つの２分割ディバイダ１７５７および１７６０と、分周器１７４５とを備える。第２のフィードバックパスは、２つの２分割ディバイダ１７５７および１７６０と、４分割ディバイダ１６６５と、分周器１６４５とを備える。スイッチ１７２７は、周波数合成器１７１０の動作モードに応じて、第１のフィードバックパスまたは第２のフィードバックパスのいずれかをＰＦＤ１７３２の入力に結合する。周波数合成器１７１０がページスキャンモードで動作するとき、スイッチ１７２７は第１のフィードバックパスをＰＦＤ１７３２の入力に結合する。周波数合成器１７１０がエネルギースキャンモードで動作するとき、スイッチ１７２７は第２のフィードバックパスをＰＦＤ１７３２の入力に結合する。
【００９５】
一態様では、ループフィルタ１７３７は、様々な動作モードのためにＰＬＬ１７３０のループ帯域幅を調節するようにプログラム可能であり得る。プログラム可能なループフィルタの一例を以下に与える。また、電荷ポンプ１７３５は、様々な動作モードのために電荷ポンプの電流を調節するようにプログラム可能であり得る。
【００９６】
一態様では、ＶＣＯ１７４０は、プログラム可能なバイアス電流を有することができる。電力を節約するために、エネルギースキャンモード中にバイアス電流を低下させることができる。エネルギースキャンモード中にバイアス電流を低下させると、ＶＣＯ１７４０の位相雑音が増加し得るが、ページスキャンモード中の受信機と比較してエネルギー検出システムの雑音要件が緩和される。たとえば、エネルギースキャンモード中の電荷ポンプの電流は、ページスキャンモードに比較して３０％だけ低減され得る。
【００９７】
ページスキャンモードにおいて、ＶＣＯ１７４０の出力信号は、２つの２分割ディバイダ１７５７および１７６０と分周器１７４５とによって分周され、分周後、ＰＦＤ１７３０の入力にフィードバックされる。一態様では、分周器１７４５は、１５、１６または１７で分周するように構成できる。分周器１７４５が１６で分割するとき、第１のフィードバックループに沿った全分割（total division）は、図１５の周波数合成器１５１０と同様である６４による。この場合、チャネル選択のために局所発振器信号を２．４０２ＧＨｚと２．４８０ＧＨｚとの間で調整するために、ＲＰＬＬ１５１５からの基準信号の周波数を７５ＧＨｚと７７．５ＧＨｚとの間で調整することができる。いくつかのチャネルは、分周器１７４５が１６で分割するときに、ＲＰＬＬ１５２５からのスプール（spur）を受けやすいことがある。これらの場合、分周器１７４５は、これらのチャネルにおけるスプールを回避するために、１５または１７で分割することができる。分周器が１５および１７で分割するとき、局所発振器信号を所望のチャネルに調整するために、相応して基準信号の周波数を調整する必要があることがある。一態様では、２分割ディバイダ１７５７は、Ｉ局所発振器信号ＬＯIおよびＱ局所発振器信号ＬＯQを出力し、これらの局所発振器信号は、ＩおよびＱ  ＬＯパス１７６２でそれぞれのミキサ１０２０ａおよび１０２０ｂに送られる。
【００９８】
エネルギースキャンモードにおいて、ＶＣＯ１７４０の出力信号は、２つの２分割ディバイダ１７５７および１７６０と、４分割ディバイダ１６６５と、分周器１６４５とによって分周される。ＶＣＯ１７４０からの信号は、分周後、ＰＦＤ１７３０の入力にフィードバックされる。エネルギースキャンモードでは、ＰＬＬ１７３０は、図１６のＰＬＬ１６３０と同様に機能することができる。このモードでは、ＰＬＬ１７３０は、ＤＰＬＬ１６１５からの基準信号の周波数が固定であるフラクショナルＮＰＬＬとして機能することができ、局所発振器信号の周波数は、分周器１６４５の分数除数を調節することによって調整される。またこのモードでは、ＩＱディバイダとＱ  ＬＯパスとのＱ成分は、エネルギー検出システムによって使用されないので、電力を節約するために遮断できる。
【００９９】
一態様では、処理システム４４０中に実装することができるモードセレクタ１７８０によって周波数合成器１７１０の動作モードを制御することができる。一態様では、モードセレクタ１７８０は、どの基準信号とフィードバックループとが周波数合成器１７１０によって使用されるかを制御するために、制御信号１７８２および１７８４をそれぞれスイッチ１７１７および１７２７に送ることができる。制御信号１７８２は１ビット制御信号の形態とすることができ、スイッチ１７１７は、ビット値が０であるときにはＲＰＬＬ１５１５をＰＦＤ１７３２に結合し、ビット値が１であるときにはＤＰＬＬ１６１５をＰＦＤ１７３２に結合する。同様に、制御信号１７８４は１ビット制御信号の形態とすることができ、スイッチ１７２７は、ビット値が０であるときには第１のフィードバックループをＰＦＤ１７３２に結合し、ビット値が１であるときには第２のフィードバックループをＰＦＤ１７３２に結合する。この態様では、モードセレクタ１７８０は、ページスキャンモードでは制御信号１７８２と１７８４の両方のためにビット値０を出力し得、エネルギースキャンモードでは制御信号１７８２と１７８４の両方のためにビット値１を出力し得る。制御信号１７８２と制御信号１７８４とは同じであってよい。
【０１００】
一態様では、モードセレクタ１７８０は、周波数合成器１７１０の動作モードに基づいてＰＬＬ１７３０のループ帯域幅を制御するために、制御信号１７８８をループフィルタ１７３７に送ることができる。たとえば、モードセレクタ１７８０は、ＤＰＬＬ雑音をフィルタ除去し、ならびに分周器１６４５の分数分割によって発生した分数スパーを減衰させるために、エネルギースキャンモードにおけるＰＬＬのループ帯域幅を低減することができる。
【０１０１】
一態様では、モードセレクタ１７８０は、周波数合成器１７１０の動作モードに基づいて電荷ポンプ１７３５の電流レベルを制御するために、制御信号１７８６を電荷ポンプ１７３５に送ることができる。たとえば、モードセレクタは、適切な位相マージンを維持するために、エネルギースキャンモードにおけるＰＬＬのループ帯域幅の低減に関連して、電荷ポンプ１７３５の電流を低減することができる。
【０１０２】
一態様では、モードセレクタ１７８０は、周波数合成器１７１０の動作モードに基づいて、電流バイアス１７９０をＶＣＯ１７４０に調節することができる。たとえば、モードセレクタ１７８０は、より高いＶＣＯ雑音のトレードオフとともに電力消費量を低減するために、エネルギースキャンモードにおけるバイアス電流を低下させることができる。
【０１０３】
図１８は、本開示の一態様による図１７のループフィルタ１７３７を実装するために使用できるプログラム可能なループフィルタ１８３７の概念ブロック図である。ループフィルタ１８３７は、プログラム可能な抵抗Ｒと、２つのキャパシタＣ１およびＣｘとを備える。この態様では、プログラム可能な抵抗Ｒの抵抗を調節することによってＰＬＬ１７３０のループ帯域幅を調節することができる。たとえば、キャパシタＣ１およびＣｘは、それぞれ１０８ｐＦおよび５．８ｐＦの値を有し得、プログラム可能な抵抗Ｒは、ページスキャンモードでは２６．４ＫΩの抵抗を有し得、エネルギースキャンモードでは５２．８ＫΩの抵抗を有し得る。
【０１０４】
図１９は、本開示の一態様による係数コントローラ１９４７の概念ブロック図である。係数コントローラ１９４７は、図１７の係数コントローラ１６４７を実装するために使用できる。図１９の係数コントローラ１９４７は、１次デルタシグマ変調器の一例である。係数コントローラ１９４７は、アキュムレータ１９１０と、Ｄフリップフロップ１９２０とを備える。アキュムレータ１９１０は、２つの入力１９１４および１９１２と、アキュムレータ出力１９１６と、オーバーフロー出力１９１８とを有することができる。アキュムレータ１９１０は８ビットアキュムレータとすることができる。この例では、蓄積出力１９１６は、２５５の値までの２つの入力１９１４および１９１２の和を出力し得る。和が２５５を超えるとき、オーバーフロー出力１９１８はオーバーフロー信号を分周器１６４５に送り得、アキュムレータ出力１９１６は和と２５５との間の差を出力し得る。一態様では、分周器１６４５は、アキュムレータ１９１０からオーバーフロー信号を受信したときには１０にトグルし、オーバーフロー信号を受信しないときには９にトグルして戻るように構成できる。一態様では、オーバーフロー信号はビットの形態とすることができ、ビット値１はオーバーフローを示す。この態様では、オーバーフロー信号は、９と１０との間のトグリングを制御するための分周器への１ビット制御信号として働くことができ、制御信号ビットが１であるとき、分周器は１０にトグルする。
【０１０５】
一態様では、アキュムレータ出力１９１０は、Ｄフリップフロップ１９２０を介してアキュムレータの入力１９１２にフィードバックされる。アキュムレータの他の入力１９１４はチャネル入力を受信する。この態様では、Ｄフリップフロップ１９２０は、ＤＰＬＬ（たとえば、３２ＭＨｚ）によってクロック制御され得、アキュムレータ出力１９２０は、クロックサイクルごとにアキュムレータ１９１０の入力１９１２にフィードバックされる。
【０１０６】
動作中、チャネル入力の値は、どのくらい頻繁にアキュムレータがオーバーフローし、オーバーフロー信号を分周器に出力するかを制御する。これは、どのくらい頻繁に分周器１６４５が１０にトグルされるか、したがって、局所発振器信号の周波数を制御する分周器１６４５の分数除数を制御する。一態様では、チャネル入力は、様々なチャネルに対応する様々な値を有することができ、所望のチャネルに対応する値がアキュムレータ１９１０に入力される。チャネル入力は、ページチャネルホッピングシーケンスまたは他のチャネルホッピング方式に基づいてチャネルを選択することができるチャネルセレクタによって与えられ得る。
【０１０７】
図２０は、通信のための電子デバイス２０００の機能の一例を示す概念ブロック図である。電子デバイスは、ページ信号または照会信号を受信するためのモジュール２０１０と、受信されたページ信号または照会信号を増幅するためのモジュール２０２０とを備える。電子デバイスは、増幅されたページ信号または増幅された照会信号のエネルギーがしきい値以上であるときに検出信号を出力するためのモジュール２０３０をさらに備える。
【０１０８】
図２１は、通信のための電子デバイス２１００の機能の一例を示す概念ブロック図である。電子デバイスは、第１の基準信号を受信するためのモジュール２１１０と、第２の基準信号を受信するためのモジュール２１２０とを備える。電子デバイス２１００は、制御信号に基づいて、第１の基準信号または第２の基準信号のいずれかを位相ロックループ（ＰＬＬ）に入力するためのモジュール２１３０と、第１の基準信号がＰＬＬに入力されたときには第１の発振器信号を発生し、または第２の基準信号がＰＬＬに入力されたときには第２の発振器信号を発生するためのモジュール２１４０とをさらに備える。
【０１０９】
本技術についてページスキャンおよび照会スキャンの文脈で説明したが、本技術の原理は、他のタイプのパケットのエネルギーを検出するために使用できる。たとえば、本技術は、デバイスが、最初にパケットのエネルギーを検出し、そのエネルギーが検出されたときにパケットのスキャンを実行することによって、データのパケットを周期的にスキャンする適用例において、電力を節約するために使用できる。別の例として、本技術は、あるデバイスが、別のデバイスによって反復列上で送信されるデータのパケットをスキャンする状況において適用できる。列は、チャネルのシーケンスを備えることができ、列間隔ごとに反復することができる。この例では、パケットのエネルギーが検出されたとき、スキャニングデバイスは、エネルギー検出の時間から近似的に１列間隔後にパケットをスキャンすることができる。したがって、本技術はページスキャンおよび照会スキャンの例に限定されない。さらに、本技術は、ブルートゥース以外の他の技術において使用されるページスキャンおよび照会スキャンに適用できる。
【０１１０】
様々なコンポーネントおよびブロックは、すべて本技術の要旨を逸脱することなく別様に構成することができる（たとえば、異なる順序で配列し、または異なる方法で分割することができる）。たとえば、図４Ａの処理システム４４０に実装された機能は、受信機４３０、送信機４２５、モデムプロセッサ４３５、機械可読媒体４４５、および／またはエネルギー検出システム４６０に実装でき、その逆も同様である。エネルギー検出システム４６０に実装された機能は、受信機４３０、送信機４２５、モデムプロセッサ４３５、機械可読媒体４４５、および／または処理システム４４０に実装でき、その逆も同様である。
【０１１１】
限定ではなく説明のために、電子デバイスは、セルラ電話、携帯情報端末（ＰＤＡ）デバイス、オーディオデバイス、ビデオデバイス、マルチメディアデバイス、ゲーム機、ラップトップ、コンピュータ、ワイヤレスヘッドセット、ワイヤレスマウス、ワイヤレスキーボード、ページスキャニングデバイス、ブルートゥース対応デバイス、処理システム、プロセッサ、またはそれらのコンポーネント、あるいは任意の他の電子／光学デバイスとすることができる。限定ではなく説明のために、電子デバイスは１つまたは複数の集積回路を含むことができる。限定ではなく説明のために、ページ信号はページパケットまたはその一部分を含むことができる。
【０１１２】
本技術を説明するために、特定の通信プロトコルおよびフォーマットの例を与えた。しかしながら、本技術は、これらの例に限定されず、他の通信プロトコルおよびフォーマットに当てはまる。
【０１１３】
本明細書で説明した様々な例示的なブロック、ユニット、要素、コンポーネント、方法、およびアルゴリズムは、電子的ハードウェア、コンピュータソフトウェア、または両方の組合せとして実装することができることを当業者なら諒解されよう。ハードウェアとソフトウェアのこの互換性を説明するために、様々な例示的なブロック、ユニット、要素、コンポーネント、方法、およびアルゴリズムについて、上記では概して、それらの機能に関して説明した。そのような機能をハードウェアとして実装するか、ソフトウェアとして実装するかは、特定の適用例および全体的なシステムに課される設計制約に依存する。当業者なら、説明した機能を特定の適用例ごとに様々な方法に実装することができる。
【０１１４】
開示したプロセスにおけるステップの特定の順序または階層は、例示的な手法の一例であることが理解されよう。設計上の選好に基づいて、プロセスにおけるステップの特定の順序または階層は並べ替えることができることが理解されよう。ステップのいくつかは同時に実行することができる。添付の方法クレームは、様々なステップの要素を例示的な順序で提示したものであり、提示された特定の順序または階層に限定されるものではない。
【０１１５】
以上の説明は、当業者が本明細書で説明した様々な態様を実行できるようにするために提供したものである。これらの態様に対する様々な変更は当業者には容易に明らかであり、本明細書で定義した一般的原理は他の態様に適用することができる。したがって、特許請求の範囲は、本明細書に示された態様に限定されるものではなく、言語的主張に矛盾しない最大限の範囲を与えられるべきであり、単数形の要素への言及は、明確にそう明記されていない限り、「ただ１つの」を意味するものではなく、「１つまたは複数の」を意味するものである。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「手段」という語句を使用して明白に具陳されていない限り、または方法クレームの場合には、その要素が「ステップ」という語句を使用して具陳されていない限り、米国特許法第１１２条第６項の規定に基づいて解釈されるべきではない
以下に本願出願の当初の特許請求の範囲について記載された発明を付記する。
［Ｃ１］
プロセッサを備える通信のための電子デバイスであって、前記プロセッサは、
ページ信号または照会信号のエネルギーの検出を識別するエネルギー検出信号を受信するように構成された電力スキャンモジュール、
を備え、前記電力スキャンモジュールは、前記エネルギー検出信号を受信すると、ページスキャンまたは照会スキャンを実行するための命令を与えるように構成される、
電子デバイス。
［Ｃ２］
前記電力スキャンモジュールは、前記ページ信号の前記エネルギーが検出された時間から近似的にページ列間隔後に前記ページスキャンを開始するための命令を与えるように構成される、
［Ｃ１］に記載の電子デバイス。
［Ｃ３］
前記電力スキャンモジュールは、前記ページ信号の前記エネルギーが検出された時間に基づいて、前記ページスキャンの継続時間を短縮するための命令を与えるように構成される、
［Ｃ１］に記載の電子デバイス。
［Ｃ４］
前記プロセッサは、各チャネルが異なる周波数に対応する、複数のチャネルから１つのチャネルを選択し、前記選択されたチャネルにおいて前記ページ信号の前記エネルギーを検出するためにエネルギー検出システムを調整するように構成されたチャネルセレクタを備える、
［Ｃ１］に記載の電子デバイス。
［Ｃ５］
前記チャネルセレクタは、前記ページスキャンを実行するために受信機を前記選択されたチャネルに調整するように構成される、
［Ｃ４］に記載の電子デバイス。
［Ｃ６］
前記エネルギー検出システムが前記選択されたチャネルにおいて前記ページ信号の前記エネルギーを検出したとき、前記電力スキャンモジュールは、前記選択されたチャネルに基づいて、チャネルのシーケンスを備えるページ列中の予想される後続のチャネルを判断し、前記ページスキャンを実行するために受信機を前記予想される次のチャネルに調整するように前記チャネルセレクタに命令するように構成された、
［Ｃ４］に記載の電子デバイス。
［Ｃ７］
前記チャネルセレクタは、ページチャネルホッピングシーケンスに基づいて前記チャネルを選択するように構成された、
［Ｃ４］に記載の電子デバイス。
［Ｃ８］
前記電力スキャンモジュールが前記エネルギー検出信号を受信すると、前記ページスキャン中に前記ページ信号を復調するためにモデムプロセッサをオンにするための命令を与えるように構成される、
［Ｃ１］に記載の電子デバイス。
［Ｃ９］
前記電力スキャンモジュールは、前記エネルギー検出信号を受信すると、前記ページスキャン中に前記ページ信号を受信するために受信機をオンにするための命令を与えるように構成される、
［Ｃ１］に記載の電子デバイス。
［Ｃ１０］
前記プロセッサは、前記電力スキャンモジュールから前記ページスキャンを実行するための前記命令を受信するように構成されたページスキャンモジュールを備え、前記ページスキャンモジュールは、前記命令を受信すると、ページスキャンを実行するように構成される、
［Ｃ１］に記載の電子デバイス。
［Ｃ１１］
前記ページスキャンは、前記ページ信号を復調することを備え、前記電力スキャンモジュールは、前記ページ信号を復調させることなしに前記エネルギー検出信号を受信するように構成される、
［Ｃ１］に記載の電子デバイス。
［Ｃ１２］
プロセッサによって実行可能な命令を備える機械可読媒体であって、前記命令は、
ページ信号または照会信号のエネルギーの検出を識別するエネルギー検出信号を受信するためのコードと、
前記エネルギー検出信号を受信すると、ページスキャンまたは照会スキャンを実行するための命令を与えるためのコードと、
を備える、機械可読媒体。
［Ｃ１３］
前記ページスキャンを実行するための前記命令を与えるための前記コードは、
前記ページ信号の前記エネルギーが検出された時間から近似的にページ列間隔後に前記ページスキャンを開始するための命令を与えるためのコードを備える、
［Ｃ１２］に記載の機械可読媒体。
［Ｃ１４］
前記ページスキャンを実行するための前記命令を与えるための前記コードは、
前記ページ信号の前記エネルギーが検出された時間に基づいて、前記ページスキャンの継続時間を短縮するための命令を与えるためのコードを備える、
［Ｃ１２］に記載の機械可読媒体。
［Ｃ１５］
前記命令は、
各チャネルが異なる周波数に対応する、複数のチャネルから１つのチャネルを選択するためのコードと、
前記選択されたチャネルにおいて前記ページ信号の前記エネルギーを検出するようにエネルギー検出システムを調整するためのコードと、
をさらに備える、［Ｃ１２］に記載の機械可読媒体。
［Ｃ１６］
前記命令は、
前記ページスキャン中に前記選択されたチャネルにおいて前記ページ信号を受信するように受信機を調整するためのコードをさらに備える、
［Ｃ１５］に記載の機械可読媒体。
［Ｃ１７］
前記命令は、
前記選択されたチャネルに基づいて、チャネルのシーケンスを備えるページ列中の予想される後続のチャネルを判断するためのコードと、
前記ページスキャン中に前記ページ信号を受信するように、前記ページ列中の前記予想される次のチャネルにおいて受信機を調整するためのコードと、
さらに備える、［Ｃ１５］に記載の機械可読媒体。
［Ｃ１８］
前記チャネルを選択するための前記コードは、
ページチャネルホッピングシーケンスに基づいて前記チャネルを選択するためのコードを備える、
［Ｃ１５］に記載の機械可読媒体。
［Ｃ１９］
前記命令は、
前記エネルギー検出信号を受信すると、前記ページスキャン中に前記ページ信号を復調するためにモデムプロセッサをオンにするための命令を与えるためのコードをさらに備える、
［Ｃ１１］に記載の機械可読媒体。
［Ｃ２０］
前記命令は、
前記エネルギー検出信号を受信すると、前記ページスキャン中に前記ページ信号を受信するために受信機をオンにするための命令を与えるためのコードをさらに備える、
［Ｃ１１］に記載の機械可読媒体。
［Ｃ２１］
アンテナによって受信されたページ信号または照会信号を増幅するように構成された増幅器と、
前記増幅されたページ信号または増幅された照会信号を受信し、前記増幅されたページ信号または前記増幅された照会信号のエネルギーがしきい値以上であるとき、検出信号を出力するように構成された、エネルギー検出器と、
を備えるエネルギー検出システム
を備える、通信のための電子デバイス。
［Ｃ２２］
前記エネルギー検出器は、前記増幅されたページ信号から周波数シフトキーイング（ＦＳＫ）変調を除去するように構成された包絡線検出器を備え、
前記エネルギー検出器は、前記ＦＳＫ変調が除去された前記増幅されたページ信号のエネルギーが前記しきい値以上であるとき、前記検出信号を出力するように構成される、［Ｃ２１］に記載の電子デバイス。
［Ｃ２３］
前記エネルギー検出器は、前記ＦＳＫ変調が除去された前記増幅されたページ信号をフィルタ処理するように構成されたフィルタをさらに備え、
前記エネルギー検出器は、前記フィルタ処理されたページ信号のエネルギーが前記しきい値以上であるとき、前記検出信号を出力するように構成される、
［Ｃ２２］に記載の電子デバイス。
［Ｃ２４］
前記エネルギー検出器は、エネルギー検出の継続時間を測定するように構成されたエネルギープロファイルプロセッサを備え、
前記エネルギー検出器は、エネルギー検出の前記継続時間が近似的にページパケットの継続時間以上であるとき、前記検出信号を出力するように構成される、
［Ｃ２１］に記載の電子デバイス。
［Ｃ２５］
前記エネルギー検出器は、エネルギー検出の継続時間を測定するように構成されたエネルギープロファイルプロセッサを備え、
エネルギー検出の前記継続時間が第１の継続時間以上であり、第２の継続時間以下であるとき、前記エネルギー検出器は、前記検出信号を出力するように構成される、
［Ｃ２１］に記載の電子デバイス。
［Ｃ２６］
前記第１の継続時間は、ページパケットの継続時間に基づく、
［Ｃ２５］に記載の電子デバイス。
［Ｃ２７］
前記第２の継続時間は、干渉信号のパケットの継続時間に基づく、
［Ｃ２５］に記載の電子デバイス。
［Ｃ２８］
発振器信号を発生するように構成された周波数合成器と、
前記ページ信号を中間周波数（ＩＦ）にダウンコンバートするために、前記ページ信号を前記発振器信号と混合するように構成されたミキサであって、前記増幅器が、前記ページ信号を前記ＩＦにおいて増幅するように構成された、ミキサと、
をさらに備える、［Ｃ２１］に記載の電子デバイス。
［Ｃ２９］
チャネルセレクタをさらに備え、前記周波数合成器は、前記発振器信号を前記チャネルセレクタによって選択されたチャネルに調整するように構成され、各チャネルは、異なる周波数に対応する、
［Ｃ２８］に記載の電子デバイス。
［Ｃ３０］
前記チャネルセレクタは、ページチャネルホッピングシーケンスに基づいて前記チャネルを選択するように構成される、
［Ｃ２９］に記載の電子デバイス。
［Ｃ３１］
前記電子デバイスは、前記増幅されたページ信号の前記エネルギーを検出し、前記ページ信号を復調することなしに前記検出信号を出力するように構成される、
［Ｃ２１］に記載の電子デバイス。
［Ｃ３２］
ページ信号または照会信号を受信するための手段と、
前記受信されたページ信号または照会信号を増幅するための手段と、
前記増幅されたページ信号または前記増幅された照会スキャンのエネルギーがしきい値以上であるとき、検出信号を出力するための手段と、
を備える、通信のための電子デバイス。
［Ｃ３３］
前記増幅されたページ信号から周波数シフトキーイング（ＦＳＫ）変調を除去するための手段と、
前記ＦＳＫ変調が除去された前記増幅されたページ信号の前記エネルギーが前記しきい値以上のとき、前記検出信号を出力するための手段と、
をさらに備える、［Ｃ３２］に記載の電子デバイス。
［Ｃ３４］
エネルギー検出の継続時間を測定するための手段と、
前記エネルギー検出の前記継続時間が近似的にページパケットの継続時間以上であるとき、前記検出信号を出力するための手段と、
をさらに備える［Ｃ３２］に記載の電子デバイス。
［Ｃ３５］
エネルギー検出の継続時間を測定するための手段と、
前記エネルギー検出の前記継続時間が第１の継続時間以上であり、第２の継続時間以下のとき、前記検出信号を出力するための手段と、
をさらに備える、［Ｃ３２］に記載の電子デバイス。
［Ｃ３６］
前記第１の継続時間は、ページパケットの継続時間に基づく、
［Ｃ３５］に記載の電子デバイス。
［Ｃ３７］
前記第２の継続時間は、干渉信号のパケットの継続時間に基づく、
［Ｃ３５］に記載の電子デバイス。
［Ｃ３８］
前記ページ信号を中間周波数（ＩＦ）にダウンコンバートするために、前記ページ信号を発振器信号と混合するための手段であって、前記ページ信号は、前記ＩＦにおいて増幅される、混合するための手段をさらに備える、
［Ｃ３２］に記載の電子デバイス。
［Ｃ３９］
各チャネルが異なる周波数に対応する、複数のチャネルのうちの１つに前記発振器信号を調整するための手段をさらに備える、
［Ｃ３８］に記載の電子デバイス。
［Ｃ４０］
ページチャネルホッピングシーケンスに基づいて前記チャネルを選択するための手段をさらに備える、
［Ｃ３９］に記載の電子デバイス。
［Ｃ４１］
第１の基準信号を発生し、出力するように構成された第１の基準信号発生器と、
第２の基準信号を発生し、出力するように構成された第２の基準信号発生器と、
前記第１の基準信号から第１の発振器信号を発生し、前記第２の基準信号から第２の発振器信号を発生するように構成された位相ロックループ（ＰＬＬ）と、
制御信号に基づいて、前記第１の基準信号または前記第２の基準信号のいずれかを前記ＰＬＬに入力するように構成されたスイッチと、
を備える周波数合成器、
を備える、通信のための電子デバイス。
［Ｃ４２］
前記ＰＬＬは、
第１のフィードバックループと、
第２のフィードバックループであって、前記ＰＬＬは、前記第１の基準信号が前記ＰＬＬに入力されたときには前記第１の発振器信号を発生するために前記第１のフィードバックループを使用し、前記第２の基準信号が前記ＰＬＬに入力されたときには前記第２の発振器信号を発生するために前記第２のループフィードバックを使用するように構成された、第２のフィードバックループと、
を備える、［Ｃ４１］に記載の電子デバイス。
［Ｃ４３］
チャネルセレクタをさらに備え、前記第２のフィードバックループは、前記チャネルセレクタによって選択された第１のチャネルに基づいて調節可能な分数除数で前記第２のフィードバックループ中の前記第２の発振器信号を分割するように構成された分周器を備える、
［Ｃ４２］に記載の電子デバイス。
［Ｃ４４］
前記第１の信号発生器は、前記チャネルセレクタによって選択された第２のチャネルに基づいて前記第１の基準信号の周波数を調整するように構成される、
［Ｃ４３］に記載の電子デバイス。
［Ｃ４５］
前記ＰＬＬは、第２の制御信号に基づいて前記ＰＬＬのループ帯域幅を調節するように構成されたループフィルタを備える、
［Ｃ４１］に記載の電子デバイス。
［Ｃ４６］
第１の基準信号を受信するための手段と、
第２の基準信号を受信するための手段と、
制御信号に基づいて、前記第１の基準信号または前記第２の基準信号のいずれかを位相ロックループ（ＰＬＬ）に入力するための手段と、
前記第１の基準信号は、前記ＰＬＬに入力されたときには第１の発振器信号を発生し、または前記第２の基準信号が前記ＰＬＬに入力されたときには第２の発振器信号を発生するための手段と、
を備える、通信のための電子デバイス。
［Ｃ４７］
前記第１の基準信号が前記ＰＬＬに入力されたときに前記第１の発振器信号を発生するために、前記ＰＬＬ中の第１のフィードバックループを選択するための手段と、
前記第２の基準信号が前記ＰＬＬに入力されたときに前記第２の発振器信号を発生するために、前記ＰＬＬ中の第２のフィードバックループを選択するための手段と、
をさらに備える、［Ｃ４６］に記載の電子デバイス。
［Ｃ４８］
複数のチャネルから第１のチャネルを選択するための手段と、
前記第２のフィードバックループ中の前記第２の発振器信号を調節可能な分数除数で分割するための手段と、
前記第１のチャネルに基づいて前記分数除数を調節するための手段と、
をさらに備える、［Ｃ４７］に記載の電子デバイス。
［Ｃ４９］
前記複数のチャネルから第２のチャネルを選択するための手段と、
前記第２のチャネルに基づいて前記第１の基準信号の周波数を調整するための手段と、をさらに備える、［Ｃ４８］に記載の電子デバイス。
［Ｃ５０］
第２の制御信号に基づいて前記ＰＬＬのループ帯域幅を調節するための手段、
をさらに備える、［Ｃ４６］に記載の電子デバイス。
［Ｃ５１］
プロセッサを備える通信のための電子デバイスであって、
前記プロセッサは、
データのパケットを含む信号のエネルギーの検出を識別するエネルギー検出信号を受信するように構成された電力スキャンモジュールを備え、
前記電力スキャンモジュールは、前記エネルギー検出信号を受信すると、データの前記パケットのスキャンを実行するための命令を与えるように構成される、
電子デバイス。
［Ｃ５２］
データの前記パケットが反復列上で送信され、前記列がチャネルのシーケンスを備え、前記電力スキャンモジュールは、前記パケットの前記エネルギーが検出された時間から近似的に列間隔後に前記スキャンを開始するための命令を与えるように構成される、
［Ｃ５１］に記載の電子デバイス。
【図１】
0005543624.tif 000003
【図２】
0005543624.tif 000004
【図３】
0005543624.tif 000005
【図４Ａ】
0005543624.tif 000006
【図４Ｂ】
0005543624.tif 000007
【図５】
0005543624.tif 000008
【図６Ａ】
0005543624.tif 000009
【図６Ｂ】
0005543624.tif 000010
【図７Ａ】
0005543624.tif 000011
【図７Ｂ】
0005543624.tif 000012
【図８】
0005543624.tif 000013
【図９Ａ】
0005543624.tif 000014
【図９Ｂ】
0005543624.tif 000015
【図１０】
0005543624.tif 000016
【図１１】
0005543624.tif 000017
【図１２Ａ】
0005543624.tif 000018
【図１２Ｂ】
0005543624.tif 000019
【図１３】
0005543624.tif 000020
【図１４】
0005543624.tif 000021
【図１５】
0005543624.tif 000022
【図１６】
0005543624.tif 000023
【図１７】
0005543624.tif 000024
【図１８】
0005543624.tif 000025
【図１９】
0005543624.tif 000026
【図２０】
0005543624.tif 000027
【図２１】
0005543624.tif 000028